(57)【特許請求の範囲】
【請求項１】
被制御機器と、無線通信路を介して前記被制御機器を制御する無線制御装置と、を備えた無線制御システムであって、
前記被制御機器および前記無線制御装置のうちの一方の機器は、
他方の機器を一意に認識するための認識情報を、当該一方の機器と前記他方の機器とを接続する前記無線通信路とは異なる通信路を介して取得し、
前記無線通信路を介して認識している接続機器が、取得された前記認識情報により識別される機器である場合、当該接続機器を前記他方の機器と設定して、通信可能とし、
第１の被制御機器と共に、第２の被制御機器を備え、
前記第１の被制御装置は、当該第１の被制御装置とは異なる通信装置に対し、自装置を一意に認識させるための認識情報である第１の認識情報を有し、
前記第２の被制御装置は、当該第２の被制御装置とは異なる通信装置に対し、自装置を一意に認識させるための認識情報である第２の認識情報を有し、
前記無線制御装置が、前記第１の認識情報を基に前記第１の被制御装置と通信可能である場合、前記第１の被制御装置と、前記第２の被制御装置と、を接続した際に、前記第２の被制御装置は、前記第２の認識情報を前記第１の被制御装置に出力し、
前記第１の被制御装置は、前記無線制御装置に前記第２の認識情報を出力し、
前記無線制御装置は、前記第１の被制御装置から出力される前記第２の認識情報を基に、前記無線通信路を介して認識している前記第２の被制御装置と通信可能とし、
前記異なる通信路は、前記第１の被制御装置と前記第２の被制御装置との間の通信路と、前記第１の被制御装置と当該無線制御装置との間の前記無線通信路との２つによって構成される無線制御システム。
【請求項２】
前記第１の被制御装置と、前記第２の被制御装置と、を接続した際に、前記第２の被制御装置は前記第２の認識情報を前記第１の被制御装置に出力し、前記第１の被制御装置は前記第２の認識情報を蓄積し、前記無線制御装置と、前記第１の被制御装置と、が無線通信路を介して前記第１の認識情報の交換を行う際に、前記第１の被制御装置は、前記第１の認識情報と、前記第２の認識情報と、を前記無線制御装置に出力する請求項１記載の無線制御システム。
【請求項３】
前記認識情報は、少なくとも、複数の前記被制御装置のアドレスと、暗号鍵と、を含む情報である請求項１または請求項２記載の無線制御システム。
【請求項４】
前記第１の被制御装置は、表示手段を具備し、
前記第１の被制御装置は、当該第１の被制御装置で生成される少なくとも動画および静止画を含む第１の可視情報と、前記第２の被制御装置で生成される少なくとも動画および静止画を含む第２の可視情報と、を選択して表示する特徴を有し、
前記無線制御装置は、前記表示手段において前記第１の可視情報が表示されている場合は、前記第１の被制御装置と通信し、当該第１の被制御装置とは異なる被制御装置とは通信しない請求項１から請求項３の何れか１項に記載の無線制御システム。
【請求項５】
前記第１の被制御装置は、前記第２の可視情報を表示している際に前記無線制御装置と通信する場合、前記第２の認識情報を前記無線制御装置に出力する請求項４記載の無線制御システム。
【請求項６】
前記第１の被制御装置は、前記表示手段に表示される可視情報を判定し、
前記表示手段に表示される可視情報が前記第２の可視情報であると判定された場合は、前記無線制御装置から出力される通信情報を拒否する請求項５記載の無線制御システム。
【請求項７】
複数の被制御機器と、無線通信路を介して当該被制御機器を制御する無線制御装置と、を備えた無線制御システムのペアリング方法において、
前記複数の被制御装置のうち第１の被制御装置は、当該第１の被制御装置とは異なる通信装置に対し、自装置を一意に認識させるための認識情報である第１の認識情報を有し、
前記複数の被制御装置のうち、前記第１の被制御装置とは異なる第２の被制御装置は、当該第２の被制御装置とは異なる通信装置に対し、自装置を一意に認識させるための認識情報である第２の認識情報を有し、
前記無線制御装置と、前記第１の被制御装置と、が前記第１の認識情報を基に通信可能な状態であって、前記第２の被制御装置の有線接続を検出した場合、当該第１の被制御装置は、前記第２の被制御装置から、前記第２の認識情報を取得し、
前記第１の被制御装置は、前記無線制御装置に前記第２の認識情報を出力し、
前記無線制御装置は、前記第１の被制御装置から出力される前記第２の認識情報を基に、前記無線通信路を介して認識している前記第２の被制御装置と通信可能とするペアリング方法。
【請求項８】
前記第１の被制御装置は、前記無線制御装置を識別し、
前記無線制御装置は、
前記無線制御装置に設けられたボタンの操作が行われたことを検知した際に、前記無線制御装置を表す認識情報を、見通し範囲内にのみ伝送可能な第一の通信媒体を介して送信する第一送信部と、
前記認識情報と、前記被制御装置を操作する操作情報とを第二の通信媒体を介して送信する第二送信部とを有し、
前記第１の被制御装置は、
前記無線制御装置が送信した前記第一の通信媒体及び、前記第二の通信媒体とからそれぞれ認識情報を取得する第一取得部及び第二取得部と、
両認識情報が一致するか否かを判定することで送信元を識別する認識情報判定部とを備え、
前記無線制御装置は、前記第１の被制御装置の前記認識情報判定部により当該無線制御装置が識別されると、当該第１の被制御装置を認識し、
前記第２の被制御装置は、前記第１の被制御装置の前記認識情報判定部により前記無線制御装置が識別されることによって、前記無線制御装置により前記第１の被制御装置が認識されている場合において、前記第１の被制御装置と前記第２の被制御装置とが接続された際に、前記第２の認識情報を前記第１の被制御装置に出力する請求項１記載の無線制御システム。
【請求項９】
被制御機器と、無線通信路を介して前記被制御機器を制御する無線制御装置と、を備えた無線制御システムであって、
前記被制御機器および前記無線制御装置のうちの一方の機器は、
他方の機器を一意に認識するための認識情報を、当該一方の機器と前記他方の機器とを接続する前記無線通信路とは異なる通信路を介して取得し、
前記無線通信路を介して認識している複数の接続機器内に、取得した前記認識情報により識別可能な前記他方の機器が存在する場合、当該認識情報を基に当該他方の機器と通信可能となるように設定する特徴を有し、
前記被制御機器は、第１の被制御機器とともに、第２の被制御機器を含み、
前記第１の被制御装置は、当該第１の被制御装置とは異なる通信装置に対し、自装置を一意に認識させるための認識情報である第１の認識情報を有し、
前記第２の被制御装置は、当該第２の被制御装置とは異なる通信装置に対し、自装置を一意に認識させるための認識情報である第２の認識情報を有し、
前記無線制御装置が、前記第１の認識情報を基に前記第１の被制御装置と通信可能である場合、前記第１の被制御装置と、前記第２の被制御装置とが接続された際、当該第１の被制御装置と当該第２の被制御装置とのうち一方は、当該第１の被制御装置が前記第２の認識情報を有するように制御し、
前記第１の被制御装置は、前記無線制御装置に前記第２の認識情報を出力し、
前記無線制御装置は、前記第１の被制御装置から出力される前記第２の認識情報を基に、前記無線通信路を介して認識している前記第２の被制御装置と通信可能とし、
前記異なる通信路は、前記第１の被制御装置と前記第２の被制御装置との間の通信路と、前記第１の被制御装置と当該無線制御装置との間の通信路である無線制御システム。
【請求項１０】
前記異なる通信路のうち前記第１の被制御装置と前記無線制御装置との間の通信路は、無線通信路であることを特徴とする請求項９記載の無線制御システム。
【発明の詳細な説明】
【技術分野】
【０００１】
本発明は、被制御機器と、無線通信路を介して当該被制御機器を制御する無線制御装置と、を備えた無線制御システムであって、前記被制御機器および前記無線制御装置のうちの一方の機器は、無線通信路を通じて接続する接続機器が、認識情報により識別される機器である場合に、当該接続機器を前記他方の機器と設定し通信可能とする無線制御システムに関する。
【背景技術】
【０００２】
従来より、被制御機器と、無線通信路を介して前記被制御機器を制御する無線制御装置とを備えた無線制御システムがある。そして、例えば、無線制御装置が被制御装置を認識する。そして、認識がされた後、無線制御装置と、被制御装置との間で識別子等の情報の情報交換が行なわれる。そして、この情報交換が行われた後の状態で、無線制御装置から被制御装置へとコマンドを送信し、コマンドを受信した被制御装置は、そのコマンドに基づいて動作する。すなわち、無線制御システムでは、無線制御装置と被制御装置のうちの一方が他方を認識し、つまり、一方が他方を発見する。そして、無線制御システムにおいては、この認識の後に、無線制御装置と被制御装置との間で識別子等の情報の情報交換が行われる。無線制御システムは、この情報交換を行うことで、無線制御装置と被制御装置との間のデータ通信が可能な状態となる。そして、無線制御システムは、この情報交換の後にデータ通信を行って、無線制御装置が被制御装置にコマンドを送信し、送信されたコマンドを被制御装置が受信する。これにより、被制御装置は、受信されたコマンドに基いた動作を行う。なお、上記における認識とは、無線制御装置によって実際にデータ通信は出来ない状態で、単に無線制御装置の制御対象として発見された状態を示す。
【０００３】
そして、ＴＶなどの被制御装置に対して遠隔制御を行う制御装置、いわゆるリモコンは、従来赤外線を用いてコマンドを伝送していた。近年赤外線の代わりに電波の無線通信路を介して制御することが考えられている。
【０００４】
電波の無線通信路は一般的に指向性がないため、近隣の同一装置との混信を避けるために被制御装置とリモコンの間で互いに相手のＩＤを登録し、登録されたＩＤを持つパケットのみに応答するのが普通である。このＩＤの交換・登録をペアリングと呼ぶ。ＩＤは通常ＭＡＣアドレスが使用される。
【０００５】
このＩＤの交換方法について述べる。被制御装置と、リモコンと、にＩＤの交換を行うためのスイッチが設けられており、ペアリングを行う際にはユーザ自身が被制御装置と、リモコンと、に備えられるスイッチを、略同時に押圧操作を行う。
【０００６】
被制御装置に備えられるスイッチが押圧操作された場合、自分のＭＡＣアドレスを含むリモコン探索用のパケットをブロードキャストで送信する。
【０００７】
リモコンに設けられたスイッチが押圧操作された場合、リモコンは、リモコン探索用のパケットの受信待機状態となる。そして、リモコン探索用のパケットを受信した場合、そのパケットに含まれる被制御装置のＭＡＣアドレスに、自分のＭＡＣアドレスを含めた応答を返すことでＭＡＣアドレスを交換する。
【０００８】
また、１つのリモコンで、複数の被制御装置を制御する場合がある。このとき、ユーザは、リモコンと、上記複数の被制御装置のうちリモコンによって制御したい被制御装置のそれぞれとＩＤの交換を行う。被制御装置としてＴＶとＤＶＲ（Ｄｉｇｉｔａｌ  Ｖｉｄｅｏ  Ｒｅｃｏｒｄｅｒ）を制御するリモコンの場合、リモコンにはＴＶを制御するキーとして、例えばチャンネル変更キー、またＤＶＲを制御するキーとして、例えば再生キー、早送りキー等と、さらにＴＶとＤＶＲを切り替えて制御するための切り替えキーや、ＴＶに表示されるＧＵＩを制御するための十字キーが備えられている。ユーザは、リモコンに備えられる切り替えキーによって操作機器を切り替えることで、ＴＶと、ＤＶＲと、を１つのリモコンで操作することが可能となる（例えば特許文献１参照）。
【０００９】
また、ペアリングの方法として、制御装置が所望の被制御装置に対して指向性を持つ赤外線を用いて通信を行うことにより被制御装置を特定し、以降その被制御装置と電波の無線通信路を用いて通信することがある（例えば、特許文献２参照）。
【先行技術文献】
【特許文献】
【００１０】
【特許文献１】特表平９−５０４４２０号公報
【特許文献２】特開２００１−２５８０８２号公報
【発明の概要】
【発明が解決しようとする課題】
【００１１】
しかしながら、従来の方法では、複数の被制御装置を制御する場合、複数の被制御装置に設けられたペアリングを行うためのスイッチを押圧操作する必要があり、ユーザの手を煩わせていた。
【００１２】
また、ユーザはリモコンによって制御を行う被制御装置を切り替える場合、切り替え操作に対応した、スイッチ等で構成されるボタンの押圧操作をしなければならないことに加えて、ユーザがリモコンにおいて操作を行っている被制御装置を適切に把握する必要があった。例えば、ＴＶと、ＤＶＲと、を１つのリモコンによって制御を行う場合、ユーザはＴＶに表示される動画像または、静止画の情報を基に、ＴＶもしくはＤＶＲを制御する。ユーザは、ＴＶに表示されている動画像または、静止画が、ＴＶ本体が出力している場合はＴＶを、ＤＶＲ本体が出力している場合であればＤＶＲを制御する必要があるが、ＴＶに表示されている情報だけではその区別をつけることはできず、ユーザがそれまでのリモコンによる操作を覚えておく必要があった。さらに、ユーザがそれまでの操作を把握している場合であって、第三者が他のリモコンやＴＶ・ＤＶＲ本体を用いて操作した場合、ユーザが意図する動作と実際に起こる動作が矛盾する場合があった。
【００１３】
そこで、本発明は、かかる問題に鑑みてなされたものであって、制御装置と複数の被制御装置とを自動的にペアリングさせる無線制御装置を提供することを第１の目的とし、ペアリングした複数の被制御装置の切り替えを適切に行うことができる無線制御装置を提供することを第２の目的とする。
【００１４】
また、しかしながら、（特許文献２）に記載されている技術では、テレビの操作時に、操作対象となるテレビが特定のリモコン装置を識別できるよう、予め通信に関する情報を交換しておく事前設定が必要であった。さらに、同一のリモコン装置で操作したいテレビを切り替える場合には、再度ユーザが切り替え先のテレビに対し、事前設定を行う必要があった。
【００１５】
このように、テレビを操作する前に通信情報を交換する等の事前設定を行うことは煩わしく、手間のかかる設定である。さらに事前設定を行う際に、通信に関する適切な情報が交換できていなければ、無指向性の通信媒体が伝送可能な範囲に存在する全てのテレビが誤動作を起こすといった問題が生じてしまう。
【００１６】
本発明は、このような課題に対し、ユーザの見通し範囲内に存在する受信装置に対して、初期の設置設定や切り替え操作なしに、リモコン装置を自動的に識別させる識別方法、リモコン装置、受信装置及び、ワイヤレスリモコンシステムを提供することを第３の目的とする。
【００１７】
要するに、被制御機器と、無線通信路を介して当該被制御機器を制御する無線制御装置とを備えた無線制御システムが従来よりある。この無線制御システムにおいては、前記被制御機器および前記無線制御装置とのうち一方の機器は、前記無線通信路を通じて接続する接続機器が、当該他方の機器を前記一方の機器が一意に認識するための認識情報により識別される機器である場合に、当該接続機器を前記他方の機器と設定し、通信可能とする。これにより、被制御機器ではない不適切な機器まで無線制御装置により制御がされてしまうことが防がれ、確実に被制御機器のみが制御される。
【００１８】
なお、無線制御システムは、無線制御装置が制御を行う第１の被制御機器と共に、同じく無線制御装置が制御を行う第２の被制御機器を含む場合がある。例えば、それら第１及び第２の被制御機器が、ＴＶとＤＶＲとである場合があり、互いに接続される場合がある。そして、従来は、それら２つの被制御機器の間の接続は、無線制御装置による第１の被制御機器の制御の通信や、第２の被制御機器の制御の通信とは関係ない目的に用いられる。
【００１９】
他方、被制御機器と無線制御装置との間の無線通信路は、例えば、赤外線による無線通信路と、電波の無線通信路とから選択できるなど、互いに異なる複数の種類の無線通信路が考えられ、考えられる複数の種類の無線通信路から１つが、実装する無線通信路に選ばれる。ここで、１つの種類の無線通信路さえ実装すれば、無線制御装置による制御は実現される。このため、その種類の無線通信路と共に、さらに、他の種類の無線通信路を設ければ、その他の無線通信路は無駄になってしまう。このため、そのような他の無線通信路まで設けて、複数の無線通信路を設けることは、されていない。
【００２０】
しかしながら、このような無線制御システムでは、被制御機器以外の不適切な機器が上記接続機器として、無線通信路を介して無線制御装置に制御されないよう、接続機器を他方の機器と設定し通信可能とする際の認識情報に、適切な認識情報が用いられるようにすることを要した。このため、例えば、上記したペアリング用のスイッチ（キー）が必要になったり、そのスイッチをユーザが操作しなければならなくなったりして、適切な認識情報が用いられるようにすることを簡単に行うことはできなかった。
【００２１】
本発明は、この点に鑑みてなされたものであり、適切な認識情報が用いられるようにすることを簡単にできるようにすることを第４の目的とする。そして、これにより、ひいては、簡単に、不適切な機器までが無線制御装置に制御されてしまうのを防ぎ、換言すれば、簡単に、確実に被制御機器のみが制御されるようにする。
【課題を解決するための手段】
【００２２】
上記課題を解決するため、本発明の無線制御システムは、被制御機器と、無線通信路を介して前記被制御機器を制御する無線制御装置と、を備えた無線制御システムであって、前記被制御機器および前記無線制御装置のうちの一方の機器は、他方の機器を一意に認識するための認識情報を、当該一方の機器と前記他方の機器とを接続する前記無線通信路とは異なる通信路を介して取得し、前記無線通信路を介して認識している接続機器が、取得された前記認識情報により識別される機器である場合、当該接続機器を前記他方の機器と設定し通信可能とする無線制御システムである。
【００２３】
ここで、この無線制御システムは、具体的には、例えば、第１の被制御機器と共に、第２の被制御機器を備え、前記第１の被制御装置は、当該第１の被制御装置とは異なる通信装置に対し、自装置を一意に認識させるための認識情報である第１の認識情報を有し、前記第２の被制御装置は、当該第２の被制御装置とは異なる通信装置に対し、自装置を一意に認識させるための認識情報である第２の認識情報を有し、前記無線制御装置が、前記第１の認識情報を基に前記第１の被制御装置と通信可能である場合、前記第１の被制御装置と、前記第２の被制御装置と、を接続した際に、前記第２の被制御装置は、前記第２の認識情報を前記第１の被制御装置に出力し、前記第１の被制御装置は、前記無線制御装置に前記第２の認識情報を出力し、前記無線制御装置は、前記第１の被制御装置から出力される前記第２の認識情報を基に、前記無線通信路を介して認識している前記第２の被制御装置と通信可能とし、前記異なる通信路は、前記第１の被制御装置と前記第２の被制御装置との間の通信路と、前記第１の被制御装置と当該無線制御装置との間の前記無線通信路との２つによって構成される無線制御システムであってもよい。
【００２４】
また、この無線制御システムは、具体的には、例えば、前記被制御装置は、前記無線制御装置を識別し、前記無線制御装置は、前記無線制御装置に設けられたボタンの操作が行われたことを検知した際に、前記無線制御装置を表す認識情報を、見通し範囲内にのみ伝送可能な第一の通信媒体を介して送信する第一送信部と、前記認識情報と、前記第1の被制御装置を操作する操作情報とを第二の通信媒体を介して送信する第二送信部とを有し、前記被制御装置は、前記無線制御装置が送信した前記第一の通信媒体及び、前記第二の通信媒体とからそれぞれ認識情報を取得する第一取得部及び第二取得部と、両認識情報が一致するか否かを判定することで送信元を識別する認識情報判定部とを備え、前記異なる通信路は、前記第一の通信媒体を通信媒体として有する通信路である無線制御システムであってもよい。
【発明の効果】
【００２５】
本発明により、制御装置と、複数の被制御装置と、を自動的にペアリングさせ、ペアリングした複数の被制御装置の切り替えを適切に行うことができる無線制御システムを提供することが可能となる。
【００２６】
本発明によれば、例えば複数の被制御装置から無線制御装置に操作情報が送信される状況であっても、ユーザは、被制御装置に無線制御装置を特定させるための設置設定又は、切り替え操作といった事前設定等を行う必要がなく、対象とするリモコン装置のみを被制御装置に自動的に認識させることが可能となる。
【００２７】
また、この無線制御システムによれば、一方の機器と他方の機器とを接続する、前記無線通信路とは別の他の通信路を介して認識情報が一方の機器に取得される。そして、接続機器が、取得された認識情報により識別される機器である場合、当該接続機器が前記他方の機器と設定され、通信可能とされる。このため、認識情報が他の通信路を介して取得されることにより、簡単に、適切な認識情報が用いられるようにできる。これにより、ひいては、簡単に、不適切な機器までが無線制御装置に制御されてしまうのを防ぎ、換言すれば、簡単に、確実に被制御機器のみが制御されるようにできる。
【図面の簡単な説明】
【００２８】
【図１】図１は、本発明の実施形態Ａにおける、無線制御装置の構成を示すブロック図である。
【図２】図２は、本発明の実施形態Ａにおける、リモコンのキー配置を示す図である。
【図３】図３は、本発明の実施形態Ａにおける、ＴＶのメニューの配置を示す図である。
【図４】図４は、本発明の実施形態Ａにおける、番組表のメニューの配置を示す図である。
【図５】図５は、本発明の実施形態Ａにおける、ＤＶＲのメニューの配置を示す図である。
【図６】図６は、本発明の実施形態Ａにおける、コンテンツ一覧のメニューの配置を示す図である。
【図７】図７は、本発明の実施形態Ａにおける、予約一覧のメニューの配置を示す図である。
【図８】図８は、本発明の実施形態Ａにおける、ＴＶの表示状態の状態遷移を示す図である。
【図９】図９は、本発明の実施形態Ａにおける、ＤＶＲの表示状態の状態遷移を示す図である。
【図１０】図１０は、本発明の実施形態Ａにおける、ＨＤＭＩの表示状態の状態遷移を示す図である。
【図１１】図１１は、本発明の実施形態Ａにおける、リモコンの送信先の状態遷移を示す図である。
【図１２】図１２は、本発明の実施形態Ａにおける、無線制御装置の詳細な構成を示すブロック図である。
【図１３】図１３は、本発明の実施形態Ａにおける、ペアリング要求パケットの構成を示す図である。
【図１４】図１４は、本発明の実施形態Ａにおける、ペアリング了解パケットの構成を示す図である。
【図１５】図１５は、本発明の実施形態Ａにおける、複数の機器情報を持つペアリング了承パケットの構成を示す図である。
【図１６】図１６は、本発明の実施形態Ａにおける、コマンドパケットの構成を示す図である。
【図１７】図１７は、本発明の実施形態Ａにおける、リダイレクトパケットの構成を示す図である。
【図１８】図１８は、本発明の実施形態Ａにおける、拒否パケットの構成を示す図である。
【図１９】図１９は、本発明の実施の形態Ｂ１におけるリモコン装置及び受信装置で構成されるワイヤレスリモコンシステムを示す図である。
【図２０】図２０は、本発明の実施の形態Ｂ１におけるリモコン装置の内部構成を示すブロック図である。
【図２１】図２１は、本発明の実施の形態Ｂ１におけるリモコン装置の動作を示すフローチャートである。
【図２２】図２２は、本発明の実施の形態Ｂ１におけるリモコン装置の動作を示すフローチャートである。
【図２３】図２３は、本発明の実施の形態Ｂ１における受信装置の内部構成を示すブロック図である。
【図２４】図２４は、本発明の実施の形態Ｂ１における受信装置の動作を示すフローチャートである。
【図２５】図２５は、本発明の実施の形態Ｂ２における受信装置の内部構造を示すブロック図である。
【図２６】図２６は、本発明の実施の形態Ｂ２における受信装置の動作を示すフローチャートである。
【発明を実施するための形態】
【００２９】
以下、図面が参照されつつ、発明を実施するための形態が示される。
【００３０】
以下で示される実施の形態Ａ、実施の形態Ｂは、いずれも、被制御機器（ＴＶ１２、ＤＶＲ１３、又は受信装置２４００）と、無線通信路を介して当該被制御機器を制御する無線制御装置（リモコン１１、リモコン装置２２００）と、を備えた無線制御システム（遠隔制御システム１、ワイヤレスリモコンシステム２）であって、前記被制御機器および前記無線制御装置のうちの一方の機器（リモコン１１、受信装置２４００）は、他方の機器（ＤＶＲ１３、リモコン装置２２００）を当該一方の機器が一意に認識するための認識情報（ペアリング情報、識別子）を、当該一方の機器と前記他方の機器とを接続する、前記無線通信路とは別の他の通信路（ＴＶ１２を介した、ＤＶＲ１３とリモコン１１との間の通信路、第一の通信媒体２１０３の通信路）を介して取得する取得部（無線受信部１１４、第一受信部２４０１）と、前記無線通信路を介して認識している接続機器が、取得された前記認識情報により識別される機器である場合、当該接続機器を前記他方の機器と設定し通信可能とする設定部（制御回路１１５、識別子判定部２４０３）とを備える無線制御システムである点で共通する。そして、この共通する構成により、互いに共通する効果を生じる。
【００３１】
（実施の形態Ａ）
実施の形態Ａは、無線制御装置に関し、より具体的には、被制御装置に対して無線通信を介して制御する無線制御装置の技術分野に関する。
【００３２】
実施の形態Ａの無線制御装置は、複数の被制御機器と、無線通信を介して当該被制御機器を制御するコントローラと、を備えた無線制御装置において、前記複数の被制御装置のうち第１の被制御装置は、前記コントローラに対し当該第１の被制御装置を一意に認識させるための認識情報である第１の認識情報を有し、前記複数の被制御装置のうち、前記第１の被制御装置とは異なる第２の被制御装置は、前記コントローラに対し当該第２の被制御装置を一意に認識させるための認識情報である第２の認識情報を有し、前記コントローラが、前記第１の認識情報を基に前記第１の被制御装置を認識している場合において、前記第１の被制御装置と、前記第２の被制御装置と、を接続した際に、前記第２の被制御装置は、前記第２の認識情報を前記第１の被制御装置に出力し、前記第１の被制御装置は、前記コントローラに前記第２の認識情報を出力し、前記コントローラは、前記第１の被制御装置と、前記第２の被制御装置と、を認識することを特徴としている。
【００３３】
これにより、コントローラと第２の被制御装置とを自動的にペアリングさせることができる。また、制御装置と、複数の被制御装置と、を自動的にペアリングさせ、ペアリングした複数の被制御装置の切り替えを適切に行うことができる無線制御装置を提供することが可能となる。
【００３４】
本発明の実施の形態Ａにおいては、複数の被制御機器と、無線通信を介して当該被制御機器を制御するコントローラと、を備えた無線制御装置において、前記複数の被制御装置のうち第１の被制御装置は、前記コントローラに対し当該第１の被制御装置を一意に認識させるための認識情報である第１の認識情報を有し、前記複数の被制御装置のうち、前記第１の被制御装置とは異なる第２の被制御装置は、前記コントローラに対し当該第２の被制御装置を一意に認識させるための認識情報である第２の認識情報を有し、前記コントローラが、前記第１の認識情報を基に前記第１の被制御装置を認識している場合において、前記第１の被制御装置と、前記第２の被制御装置と、を接続した際に、前記第２の被制御装置は、前記第２の認識情報を前記第１の被制御装置に出力し、前記第１の被制御装置は、前記コントローラに前記第２の認識情報を出力し、前記コントローラは、前記第１の被制御装置と、前記第２の被制御装置と、を認識することを特徴としている。
【００３５】
これにより、コントローラと第２の被制御装置とを自動的にペアリングさせることができる。
【００３６】
また、前記第１の被制御装置と前記第２の被制御装置を接続した際に、前記第２の被制御装置は前記第２の認識情報を前記第１の被制御装置に出力し、前記第１の被制御装置は前記第２の認識情報を蓄積し、前記コントローラと、前記第１の被制御装置と、が無線通信を介して前記第１の認識情報の交換を行う際に、前記第１の被制御装置は、前記第１の無線制御情報と、前記第２の無線制御情報と、を前記コントローラに出力することを特徴としている。
【００３７】
これにより、コントローラと第１および第２の被制御装置とを適切にペアリングさせることができる。
【００３８】
また、前記認識情報は、少なくとも前記複数の被制御装置のアドレスと、暗号鍵と、を含む情報であることを特徴としている。
【００３９】
これにより、アドレスと暗号鍵とを用いて自動的に且つ適切にペアリングさせることができる。
【００４０】
また、前記第１の被制御装置は、表示手段を具備し、前記第１の被制御装置は、当該第１の被制御装置で生成される少なくとも動画および静止画を含む第１の可視情報と、前記第２の被制御装置で生成される少なくとも動画および静止画を含む第２の可視情報と、を選択して表示する被制御装置であって、前記コントローラは、前記表示手段において前記第１の可視情報が表示されている場合は、前記第１の被制御装置と通信し、前記表示手段において前記第２の可視情報が表示されている場合は、前記第２の被制御装置と通信することを特徴としている。
【００４１】
これにより、ペアリングした複数の被制御装置の切り替えを適切に行うことができる。
【００４２】
また、前記第１の被制御装置は、前記第２の可視情報を表示している際に前記コントローラと通信した場合、前記第２の認識情報を前記コントローラに出力することを特徴としている。
【００４３】
これにより、コントローラは前記第２の被制御装置を適切に制御することができる。
【００４４】
また、前記第２の被制御装置は、前記表示手段に表示される可視情報を判定し、前記表示手段に表示される可視情報が前記第１の可視情報であると判定された場合は、前記コントローラから出力される通信情報を拒否することを特徴としている。
【００４５】
これにより、第２の被制御装置への誤った制御を防ぐことができる。
【００４６】
また、複数の被制御機器と、無線通信を介して当該被制御機器を制御するコントローラと、を備えた無線制御装置のペアリング方法において、前記複数の被制御装置のうち第１の被制御装置は、前記コントローラに対し当該第１の被制御装置を一意に認識させるための認識情報である第１の認識情報を有し、前記複数の被制御装置のうち、前記第１の被制御装置とは異なる第２の被制御装置は、前記コントローラに対し当該第２の被制御装置を一意に認識させるための認識情報である第２の認識情報を有し、前記コントローラが、前記第１の認識情報を基に前記第１の被制御装置を認識している場合において、前記第１の被制御装置と、前記第２の被制御装置と、を接続した際に、前記第２の被制御装置は、前記第２の認識情報を前記第１の被制御装置に出力し、前記第１の被制御装置は、前記コントローラに前記第２の認識情報を出力し、前記コントローラは、前記第１の被制御装置と、前記第２の被制御装置と、を認識することを特徴とするペアリング方法であることを特徴としている。
【００４７】
これにより、コントローラと第２の被制御装置とを自動的にペアリングさせ、ペアリングした複数の被制御装置の切り替えを適切に行うことができる。
【００４８】
図１は、本発明の遠隔制御システム１のブロック図である。
【００４９】
遠隔制御システム１は、符号１１、１２、１３で示される各要素を備える。ここで、１１はリモコン、１２はＴＶ、１３はＤＶＲ（Ｄｉｇｉｔａｌ Ｖｉｄｅｏ Ｒｅｃｏｒｄｅｒ）である。
【００５０】
リモコン１１にはキーが具備され、各キーに対応付けられている操作コマンドが、それぞれ、そのキーが押されることによって、ＴＶ１２または、ＤＶＲ１３に対して、通信媒体である電波を介して、リモコン１１により送信される。
【００５１】
ＴＶ１２は表示手段としてディスプレイを備え、ＴＶ１２に内蔵されたチューナの受信映像を表示するほか、ＤＶＲ１３が出力する動画像と、静止画のうち少なくとも１つを表示する。また、ＴＶ１２はＧＵＩを持ち、リモコン１１を用いてＴＶ１２のコントロールを行う。
【００５２】
同様にＤＶＲ１３はＧＵＩを持ち、リモコン１１を用いてこのＧＵＩの操作をすることによって、ＤＶＲ１３のコントロールを、ユーザは行う。
【００５３】
なお、本実施の形態において、ＴＶ１２と、ＤＶＲ１３と、の通信はＨＤＭＩを用いるものとする。なお、ＴＶ１２と、ＤＶＲ１３と、の通信はＨＤＭＩに限定されるものではなく、例えば、ＷｉｒｅｌｅｓｓＨＤＭＩ等の双方向に制御信号の通信が可能なインターフェイスであればどのようなものを用いても構わない。また、電波は、例えばＩＥＥＥ８０２．１１に策定される通信規格に基づく電波や、ＩＥＥＥ８０２．１５．１に策定される通信規格に基づくＢｌｕｅｔｏｏｔｈ等、他の通常使用されている無指向性の信号伝播手段であればどのようなものを用いても構わない。
【００５４】
図２は、リモコン１１に具備されるキー群１１６の例を示す図である。
【００５５】
より詳細には、リモコン１１は、符号１６２、１６３、１７０、１７１、１７２、１７３、１７４、１７５、１８０、１８１、１８２、１８３、１８４、１９０、１９１、１９２、１９３で示される各要素を備える。
【００５６】
１６２はＴＶ切換キー、１６３はＤＶＲ切換キー、１７０はメニューキー、１７１は十字キー（上）、１７２は十字キー（右）、１７３は十字キー（左）、１７４は十字キー（下）、１７５は決定キー、１８０はテンキー、１８１はチャンネルアップキー、１８２はチャンネルダウンキー、１８３は音量アップキー、１８４は音量ダウンキー、１９０は再生キー、１９１は早送りキー、１９２は巻き戻しキー、１９３は停止キーである。
【００５７】
また、リモコン１１は、十字キーと、チャンネルキーと、ＤＶＲ操作キーとを備える。
【００５８】
十字キー（上）１７１、十字キー（右）１７２、十字キー（左）１７３、十字キー（下）１７４はまとめて十字キーと称する。また、テンキー１８０とチャンネルアップキー１８１、チャンネルダウンキー１８２はまとめてチャンネルキーと称する。また、音量アップキー１８３と音量ダウンキー１８４をまとめて音量キーと称する。また、再生キー１９０、早送りキー１９１、巻き戻しキー１９２、停止キー１９３をまとめてＤＶＲ操作キーと呼ぶ。
【００５９】
下記の表１は、リモコン１１の各キーのうちで、そのキーが押されたときに、リモコン１１がＴＶ１２に対して、そのキーの情報を送信するものを示す。
【００６０】
【表１】
0004440338.tif 000002
【００６１】
下記の表２は、リモコン１１の各キーのうちで、そのキーが押されたときに、リモコン１１がＤＶＲ１３に対して、そのキーの情報を送信するものを示す。
【００６２】
【表２】
0004440338.tif 000003
【００６３】
下記の表３は、リモコン１１の各キーのうちで、そのキーが押されたときに、リモコン１１の内部状態によって、そのキーの情報の送信先が、ＴＶ１２およびＤＶＲ１３のどちらかに変わるキーを示す。
【００６４】
【表３】
0004440338.tif 000004
【００６５】
ここで、リモコン１１から送信された各キーの情報が、ＴＶ１２およびＤＶＲ１３が受信した場合、リモコン１１と、ＴＶ１２と、ＤＶＲ１３と、の動作について説明する。
【００６６】
ＴＶ１２が放送局から送信される放送波に多重されている番組情報は、１から１２の、チャンネルと称する番号に割り当てられる。
【００６７】
テンキー１８０は、１から１２のチャンネルが割り当てられたキー群で構成される。テンキー１８０が押されたとき、ＴＶ１２は内蔵しているチューナによって放送局から送信される放送波を復号し、復号して得られる動画像または、静止画像をディスプレイに表示する。また、テンキー１８０のうち押圧操作がされたキーに対応するチャンネルの放送波が選局される。
【００６８】
チャンネルアップキー１８１が押されたとき、チャンネルアップキー１８１を押す前に選局されていたチャンネルに１を加えたチャンネルの放送波を選局し、内蔵しているチューナによって復号化し、復号して得られる動画像または、静止画像をディスプレイに表示する。なお、選局されていたチャンネルが１２であれば、チャンネル１を選局する。
【００６９】
チャンネルダウンキー１８２が押されたとき、チャンネルダウンキー１８２を押す前に選局されていたチャンネルから１を引いたチャンネルの放送波を選局し、内蔵しているチューナによって復号化し、復号して得られる動画像または、静止画像をディスプレイに表示する。なお、選局されていたチャンネルが１であれば、チャンネル１２を選局する。
【００７０】
音量アップキー１８３が押された場合、ＴＶ１２は音量を大きくする。また、音量ダウンキー１８４が押された場合、ＴＶ１２は音量を小さくする。
【００７１】
再生キー１９０が押された場合、ＤＶＲ１３はコンテンツを通常速度で再生する。巻き戻しキー１９２が押された場合は、ＤＶＲ１３はコンテンツを巻き戻しながら再生する。早送りキー１９１が押された場合、ＤＶＲ１３はコンテンツを早送りしながら再生する。停止キー１９３が押された場合、コンテンツを停止する。機器操作キーは、ＤＶＲ１３がコンテンツ再生状態にある場合にのみ有効である。
【００７２】
メニューキー１７０が押された場合、ＴＶ１２または、ＤＶＲ１３に設定されるメニューを表示する。メニューではいくつかのボタンと、一つのハイライトされたボタンが表示される。
【００７３】
十字キーを押すことによって、ハイライトされたボタンが移動する。
【００７４】
各ボタンには機能が割り当てられ、決定キー１７５を押すことにより当該機能、すなわちハイライトされたボタンの機能が実行される。
【００７５】
図３は、本発明の実施の形態におけるＴＶ１２のメニュー１１００を示す図である。
【００７６】
１１００はメニュー、１１０１は番組表ボタン、１１０２はＤＶＲ切換ボタンである。メニュー１１００を表示したとき、番組表ボタン１１０１とＤＶＲ切換ボタン１１０２のいずれかがハイライトされる。番組表ボタン１１０１を押した場合、すなわち、番組表ボタン１１０１がハイライトされているときに決定キー１７５が押されると、番組表のメニュー１１１０が表示される。ＤＶＲ切換ボタン１１０２を押した場合、ＴＶ１２はディスプレイにＨＤＭＩ入力の映像を表示する。
【００７７】
図４は、ＴＶ１２の番組表のメニュー１１１０を示す図である。
【００７８】
１１１０は番組表、１１１１は時間表示、１１１２は放送局表示、１１１３は番組表示である。番組表１１１０が表示された時、直近の時間の各放送局の放送予定の番組を番組表示１１１３にＴＶ１２は表示する。このとき、放送局毎に、縦に時間順に並べてＴＶ１２は表示する。そして、ユーザの便を図るため、番組表１１１０の上側に放送局表示１１１２を、左側に時間表示１１１１をＴＶ１２は各々表示する。また、番組表１１１０が表示される前に表示していた番組がハイライト表示される。十字キーが押された場合、ハイライトは上下左右に移動する。決定キー７５が押された時、ハイライトされている放送局が選局される。
【００７９】
図５は、ＤＶＲ１３のメニュー１１２０を示す図である。
【００８０】
メニュー１１２０は、ＤＶＲ１３が、ＴＶ１２に表示させる。
【００８１】
１１２０はメニュー、１１２１はコンテンツ一覧ボタン、１１２２は番組表ボタン、１１２３は予約一覧ボタン、１１２４はＴＶ切換ボタンである。
【００８２】
コンテンツ一覧ボタン１１２１が実行された場合、コンテンツ一覧のメニューを表示する。番組表ボタン１１２２が実行された場合、番組表のメニューを表示する。予約一覧ボタン１１２３が実行された場合、予約一覧のメニューを実行する。ＴＶ切換ボタン１１２４が押された場合、ＤＶＲ１３は、ＴＶ１２に対して、ＴＶ１２による表示を、チューナ映像に戻すコマンドを発行し、ＴＶ１２は、このコマンドが発行されると、ディスプレイにチューナ映像を表示する。コンテンツ一覧のメニューでは、ＤＶＲ１３に記録されているコンテンツの一覧を表示する。番組表のメニューでは、放送局が放送している番組の一覧を表示する。予約一覧のメニューでは録画予約されている番組の一覧を表示する。
【００８３】
図６は、コンテンツ一覧のメニュー１１３０を示す図である。
【００８４】
１１３０はコンテンツ一覧のメニュー、１１３１はコンテンツ表示である。ＤＶＲ１３は、記録されているコンテンツの情報をコンテンツ表示１１３１として表示する。表示される内容は、コンテンツのタイトル、記録日、長さ（時間）である。コンテンツ一覧メニュー１１３０が表示されたとき、コンテンツ一覧１１３１のいずれかがハイライト表示される。十字キーが押されたとき、ハイライト表示は移動し、決定キー１７５が押されたとき、ハイライト表示されているコンテンツ表示１１３１が示すコンテンツが再生される。
【００８５】
ＤＶＲ１３における番組表のメニューは、ＴＶ１２の番組表のメニュー１１１０（図４）と同一である。但し、ＴＶ１２においては決定キー１７５が押されたとき、ハイライト表示されている番組の放送局が選局されるのにたいし、ＤＶＲ１３の番組表のメニューにおいては、ハイライト表示されている番組の録画予約が行われる。
【００８６】
図７は、予約一覧のメニュー１１４０を示す図である。
【００８７】
１１４０は予約一覧のメニュー、１１４１は予約表示である。ＤＶＲ１３は、録画予約されている番組を予約表示１１４１として表示する。表示される内容は、番組の放送局、開始日時、タイトルである。予約一覧メニュー１１４０が表示されたとき、予約一覧１１４１のいずれかがハイライト表示される。十字キーが押されたとき、ハイライト表示は移動し、決定キー１７５が押されたとき、ハイライト表示されている予約表示１１４１が示す録画予約は取り消される。
【００８８】
ＴＶ１２が表示する画面は、メニュー画面、チューナ映像、ＨＤＭＩ入力映像の３種類である。
【００８９】
図８は、本発明の実施の形態における、ＴＶの表示状態の状態遷移を示す図である。
【００９０】
１１５０はメニュー画面を表示するメニュー状態、１１５１はチューナ映像を表示するチューナ状態、１１５２はＨＤＭＩ入力映像を表示するＨＤＭＩ入力状態である。１１５３はチューナ状態１１５１からメニュー状態１１５０に遷移するパス、１１５４はメニュー状態１１５０からチューナ状態１１５１に遷移するパス、１１５５はＨＤＭＩ入力状態１１５２からチューナ状態１１５１に遷移するパス、１１５６はチューナ状態１１５１からＨＤＭＩ入力状態１１５２へ遷移するパスである。ＴＶ１２はメニュー状態１１５０ではメニュー画面（図３のメニュー１１００、図４のメニュー１１１０）を表示し、チューナ状態１１５１ではチューナ映像を表示し、ＨＤＭＩ入力状態１１５２では、ＨＤＭＩ入力映像（図５のメニュー１１２０、図６のメニュー１１３０、図７のメニュー１１４０）を表示する。
【００９１】
ＴＶ１２の最初の状態はチューナ状態１１５１である。パス１１５３、パス１１５４、パス１１５５、パス１１５６が遷移する条件を表４に示す。
【００９２】
【表４】
0004440338.tif 000005
【００９３】
パス１１５５が遷移したときには、ＴＶ１２はＤＶＲ１３に対してＴＶのチューナ映像をＴＶ１２が表示することを通知する。またパス１１５６が遷移したときには、ＴＶ１２はＤＶＲ１３に対してＤＶＲ１３の映像、すなわちＤＶＲ１３がＴＶ１２に出力映像を、ＴＶ１２が表示することを通知する。
【００９４】
またＨＤＭＩ入力状態１１５２にある場合に、ＴＶ１２が、メニューキー１７０、十字キー、又は決定キー１７５の何れかのキーのコマンドを、リモコン１１から受信した場合は、受信されたコマンドを拒否し、そのコマンドをリモコン１１が送信する送信先の送信先アドレスとして、ＤＶＲ１３のアドレスをリモコン１１に通知する。
【００９５】
ＤＶＲ１３が表示する画面は、メニュー画面とコンテンツ映像の２種類である。
【００９６】
図９は、ＤＶＲ１３の表示状態の状態遷移を示す図である。
【００９７】
１１６０はメニューを表示するメニュー表示状態、１１６１はコンテンツを表示するコンテンツ再生状態、１１６２はコンテンツ再生状態１１６１からメニュー状態１１６０へ遷移するパス、１１６３はメニュー状態１１６１からコンテンツ再生状態１１６１に遷移するパスである。ＤＶＲ１３はメニュー表示状態１１６０ではメニューを、コンテンツ再生状態ではコンテンツを表示する。
【００９８】
ＴＶ１２の状態がＨＤＭＩ入力状態１１５２に遷移したとき、ＤＶＲ１３の状態は、メニュー状態１１６０にセットされる。パス１１６２およびパス１１６３が遷移する条件を表５に示す。
【００９９】
【表５】
0004440338.tif 000006
【０１００】
ＤＶＲ１３は、ＴＶ１２がＨＤＭＩ入力映像を表示しているかどうかを管理する状態を保持する。
【０１０１】
図１０は、ＨＤＭＩ入力表示を管理している状態遷移図である。
【０１０２】
１１８０はＨＤＭＩ表示状態、１１８１はＨＤＭＩ非表示状態、１１８２はＨＤＭＩ非表示状態１１８１からＨＤＭＩ表示状態１１８０へ遷移するパス、１１８３はＨＤＭＩ表示状態１１８０からＨＤＭＩ非表示状態１１８１へ遷移するパスである。
【０１０３】
ＤＶＲ１３は、ＨＤＭＩ非表示状態１１８１で、リモコン１１からコマンドを受信した場合、そのコマンドを拒否する。パス１１８２およびパス１１８３が遷移する条件を表６に示す。
【０１０４】
【表６】
0004440338.tif 000007
【０１０５】
例えば、ＤＶＲ１３は、より具体的には、ＤＶＲ１３が、ＨＤＭＩ表示状態１１８０と、ＨＤＭＩ非表示状態１１８１との何れの状態であるかを示すＨＤＭＩ表示非表示情報を保持する。そして、このＨＤＭＩ表示非表示情報は、ＴＶ１２がＨＤＭＩ入力映像を表示しているかどうかを示す情報である。
【０１０６】
リモコン１１は、メニューキー１７０、十字キー（十字キー（上）１７１等）、決定キー１７５の送信先を管理する状態を保持する。
【０１０７】
図１１は、送信先を管理する状態遷移図である。１１７０はＴＶ送信状態、１１７１はＤＶＲ送信状態、１１７２はＤＶＲ送信状態１１７１からＴＶ送信状態１１７０に遷移するパス、１１７３はＴＶ送信状態１１７０からＤＶＲ送信状態１１７１に遷移するパスである。
【０１０８】
ＴＶ送信状態１１７０では、メニューキー１７０、十字キー、決定キー１７５が押された場合、これらの情報をＴＶ１２にリモコン１１は送信する。ＤＶＲ送信状態１１７１では、メニューキー１７０、十字キー、決定キー１７５が押された場合、これらの情報をＤＶＲ１３にリモコン１１は送信する。
【０１０９】
パス１１７２およびパス１１７３が遷移する条件を表７に示す。
【０１１０】
【表７】
0004440338.tif 000008
【０１１１】
次に、リモコン１１とＴＶ１２のペアリングについて説明する。リモコン１１とＴＶ１２にはそれぞれペアリング用の押しボタンが設置されている。ユーザがそれぞれの押しボタンを押した場合について説明する。なお、後で詳しく説明される図１２では、リモコン１１のペアリング用の押しボタン１１０と、ＴＶ１２のペアリング用の押しボタン１２２が図示される。
【０１１２】
ＴＶ１２は、ペアリング用の押しボタン１２２（図１２参照）が押された場合、無線通信の受信待機状態を開始し、ペアリング要求パケットを受信した場合で、ペアリング了解パケットを返信する。すなわち、ＴＶ１２は、ペアリング用の押しボタン１２２（図１２参照）が押された場合、無線通信の受信待機状態になる。そして、ＴＶ１２は、無線通信の受信待機状態になった後は、ペアリング要求パケットをリモコン１１から受信した場合に、ペアリング了解パケットをリモコン１１へ返信する。ペアリング了解パケットには、ＴＶ１２のアドレスとカテゴリ、暗号鍵のほか、ＴＶ１２に接続されている機器（例えばＤＶＲ１３）の情報が含まれている。機器の情報を表８に示す。
【０１１３】
【表８】
0004440338.tif 000009
【０１１４】
ここで、カテゴリとは、ＴＶ、ＤＶＲなど機器の種類をあらわすコードである。また、暗号鍵は、機器へのコマンドの伝送時に、その伝送がされる通信を暗号化する際の鍵である。少なくともペアリング要求パケットの通信およびペアリング了承パケットの通信は、平文で行われる。アドレスとは、無線通信を行う際のアドレスである。
【０１１５】
リモコン１１は、リモコン１１が有する、ペアリング用の押しボタン１１０が押された場合、ペアリング要求パケットをブロードキャストで送信する。ブロードキャストとは送信先を指定しない送信方法である。パケットは、ブロードキャストで送信されるのではない場合には、そのパケットの無線通信の電波が届く受信機器であっても、そのパケットの指定する送信先がその受信機器ではない限り、その受信機器に受信されない。一方で、パケットは、ブロードキャストで送信される場合、ブロードキャストではない送信では受信されない受信機器にも受信される。そして、リモコン１１は、ペアリング要求パケットの送信後、ペアリング要求パケットを受信した受信機器による返信がリモコン１１に受信されるのを待つ受信待ちうけを一定時間行い、この時間に、ペアリング了承パケットを受信した場合、受信されたペアリング了承パケットを返信した受信機器の情報を蓄積する。なお、ペアリング了承パケットに複数の機器が含まれる場合、複数の機器の情報を蓄積する。
【０１１６】
ＤＶＲ１３は、ＤＶＲ１３がＴＶ１２に接続された時、すなわちＴＶ１２との接続時に、ＤＶ１Ｒ３の機器の情報すなわち、カテゴリ、アドレス、暗号鍵をＴＶ１２に送信する。ＴＶ１２は、ＤＶＲ１３によって送信されるこの情報を蓄積し、ＴＶ１２がリモコン１１とペアリングする際には、蓄積されるこの情報を、リモコン１１に送信する。
【０１１７】
ＴＶ１２およびＤＶＲ１３はそれぞれ従来の赤外線リモコンのコマンド受光部を持ち、これらのコマンド受光部により取得されたコマンドを各々実行する。
【０１１８】
図１２に、本発明の遠隔制御システム１の詳細ブロック図を示す。
【０１１９】
１１０は押しボタン（ペアリングの押しボタン）、１１１はペアリング情報レジスタ、１１２は無線送信部、１１３はアドレスレジスタ、１１４は無線受信部、１１５は制御回路、１１６はキー群、１１７は送信先レジスタ、１２２は押しボタン（ペアリング用の押しボタン）、１２３は無線受信部、１２４はアドレスレジスタ、１２５は無線送信部、１２６はペアリング情報レジスタ、１２７は制御回路、１２８は出力レジスタ、１２９は接続機器情報レジスタ、１３０はメニュー生成部、１３１はＴＵＮＥＲ、１３２はＨＤＭＩ入力部、１３３はディスプレイ、１３４は選択回路、１４２は押しボタン、１４３は無線受信部、１４４はアドレスレジスタ、１４５は無線送信部、１４６は制御回路、１４７はペアリング情報レジスタ、１４８は出力レジスタ、１４９は表示レジスタ、１５０はメニュー生成部、１５１はＴＵＮＥＲ、１５２はＨＤＤドライブ、１５３はＨＤＭＩ出力部、１５４はデコーダ、１５５はスイッチである。
【０１２０】
リモコン１１が備えるアドレスレジスタ１１３には、あらかじめリモコン１１のアドレスが、ＴＶ１２が備えるアドレスレジスタ１２４にはあらかじめＴＶ１２のアドレスが、ＤＶＲ１３が備えるアドレスレジスタ１４４にはあらかじめＤＶＲ１３のアドレスが、それぞれ、工場出荷時に書き込まれる。書き込まれるアドレスは、それぞれ、これらリモコン１１等を含んだすべての機器でユニークな識別用のデータである。
【０１２１】
リモコン１１が備える無線受信部１１４は、無線受信部１１４が受信したパケットのあて先が自分（リモコン１１のアドレス）でなく、しかも、そのパケットがブロードキャストパケットでなければ、そのパケットを破棄する。なお、無線受信部１１４は、リモコン１１が備えるアドレスレジスタ１１３から、アドレスレジスタ１１３に書き込まれたリモコン１１のアドレスを取得し、取得したアドレスを、自分のアドレスとする。
【０１２２】
ＴＶ１２が備える無線受信部１２３は、無線受信部１２３が受信したパケットのあて先が自分のアドレス（ＴＶ１２のアドレス）でなく、しかも、そのパケットが、ブロードキャストパケットでなければ、そのパケットを破棄する。なお、無線受信部１２３は、ＴＶ１２が備えるアドレスレジスタ１２４からＴＶ１２のアドレスを取得し、取得されるアドレスを、自分のアドレスとする。
【０１２３】
ＤＶＲ１３が備える無線受信部１４３は、無線受信部１４３が受信したパケットのあて先が自分のアドレスでなく、しかも、そのパケットが、ブロードキャストパケットでなければ、そのパケットを破棄する。なお、無線受信部１４３は、ＤＶＲ１３が備えるアドレスレジスタ１４４からＤＶＲ１３のアドレスを取得し、取得されるアドレスを、自分のアドレスとする。
【０１２４】
リモコン１１が備える無線送信部１１２は、パケットを送信するときに、リモコン１１が備えるアドレスレジスタ１１３からリモコン１１のアドレスを読み出し、そのアドレスを送信元アドレスとして、送信元アドレスがそのアドレスであるパケットを送信する。
【０１２５】
同様に、ＴＶ１２が備える無線送信部１２５は、パケットを送信するときに、ＴＶ１２が備えるアドレスレジスタ１２４から、ＴＶ１２のアドレスを読み出し、そのアドレスを送信元アドレスとしてパケットを送信する。
【０１２６】
同様に、ＤＶＲ１３が備える無線送信部１４５は、パケットを送信するときに、ＤＶＲ１３が備えるアドレスレジスタ１４４からアドレスを読み出し、そのアドレスを送信元アドレスとしてパケットを送信する。
【０１２７】
ここで、パケットは、送信元アドレスと、送信先アドレスと、パケット種別と、ペイロードとを含む。送信先アドレスは、送信先の機器のアドレスを指定する場合と、ブロードキャストの場合がある。パケットの種別は、ペアリング要求、ペアリング了承、コマンドの３種類の種別が含まれる。
【０１２８】
リモコン１１の無線送信部１１２が送信したパケットは、空間を通じて無線受信部１２３および無線受信部１４３に到達する。同様に、ＴＶ１２の無線送信部１２５が送信したパケットは、空間を通じて無線受信部１１４および無線受信部１４３に到達する。同様に、ＤＶＲ１３の無線送信部１４５が送信したパケットは、空間を通じて無線受信部１１４よび無線受信部１２３に到達する。
【０１２９】
次に、ＨＤＭＩについて説明する。
【０１３０】
ＤＶＲ１３は、ＨＤＭＩ出力部１５３から映像をＴＶ１２に出力する。他方、ＴＶ１２は、ＨＤＭＩ入力部１３２から入力されるＨＤＭＩの映像を、選択回路３４に出力する。ＨＤＭＩでは、ＣＥＣと呼ばれるデータ通信機構がある。
【０１３１】
まず、ＴＶ１２からＤＶＲ１３にデータを送信する場合、制御回路１２７は、ＤＶＲ１３へ送信したいデータをＨＤＭＩ入力部１３２に出力すると、ＨＤＭＩ入力部１３２は、送信したいデータを、ＣＥＣのデータに変換して、変換したＣＤＣのデータを、ＨＤＭＩ出力部１５３に出力する。ＨＤＭＩ出力部１５３は、ＨＤＭＩ入力部１３２が出力するＣＤＣのデータを受信し、受信したＣＥＣのデータをデコードし、デコードされたデータを、制御回路１４６に出力する。
【０１３２】
同様に、ＤＶＲ１３からＴＶ１２にデータを送信する場合、制御回路１４６は、ＴＶ１２へ送信したいデータをＨＤＭＩ出力部１５３に出力すると、ＨＤＭＩ出力部１５３は送信したいデータをＣＥＣのデータに変換して、ＨＤＭＩ入力部１３２に出力する。ＨＤＭＩ入力部１３２は、出力されるＣＤＣのデータを受信し、受信したＣＥＣのデータをデコードし、デコードされたデータを制御回路１２７に出力する。
【０１３３】
次に、ＤＶＲ１３をＴＶ１２に接続したときの動作を説明する。
【０１３４】
ＨＤＭＩ入力部１３２は、機器がＴＶ１２に接続されたことを検出し、接続されたことを制御回路１２７に通知する。制御回路１２７は、この通知があった場合に、接続された機器に対して、ペアリング情報を要求するデータを、ＣＥＣを用いて出力する。ＤＶＲ１３では、ＣＥＣのデータは、ＨＤＭＩ出力部１５３を経由して制御回路１４６に通知される。ＤＶＲ１３は、この通知が取得されたとき、すなわち、ペアリング情報を要求されたとき、ＤＶＲ１３の機器のカテゴリ、機器のアドレス、機器の暗号鍵を、ＣＥＣを用いて、ＴＶ１２の制御回路１２７に通知する。このとき、ＤＶＲ１３の機器のカテゴリはＤＶＲであり、機器のアドレスは、ＤＶＲ１３の制御回路１４６がアドレスレジスタ１４４から読み出したアドレス（ＤＶＲ１３のアドレス）であり、ＤＶＲ１３の暗号鍵は、ＤＶＲ１３の制御回路１４６が通信の際に用いる暗号鍵である。ＴＶ１２の制御回路１２７は、こうしてＤＶＲ１３によってＴＶ１２に通知された機器のカテゴリ、機器のアドレス、機器の暗号鍵を、接続機器情報レジスタ１２９に蓄積する。
【０１３５】
次に、ペアリングについて説明する。
【０１３６】
リモコン１１の制御回路１１５は、ペアリング用の押しボタン１１０が押されたことを検出し、この検出をしたとき、ペアリング要求パケットをブロードキャストで送信することを無線送信部１１２に要求する。なお、ここで、ノンスは、制御回路１１５がランダムに発生したパケット確認用のデータである。ペアリング要求パケットは、ペイロードとしてノンスを持つ。
【０１３７】
リモコン１１の制御回路１１５は、さらに、リモコン１１の無線受信部１１４を一定時間、受信待機状態にするとともに、自分自身も一定時間のペアリング了承パケットの待ちうけを行う。そして、リモコン１１の無線受信部１１４は、待ちうけ中にパケットを受信した場合には、そのパケット即ち受信されたパケットを、リモコン１１の制御回路１１５に出力する。そして、制御回路１１５は、ペアリング了承パケットの待ちうけ中に無線受信部１１４からパケットの入力があれば、そのパケットがペアリング了承パケットであるかどうかを判定する。そして、受信したパケットがペアリング了承パケットであったと判定された場合、制御回路１１５は、そのパケットの持つペイロードに含まれるノンスが、ペアリング要求時のノンス、すなわち、送信したペアリング要求パケットのノンスと一致しているかどうかを判定する。ノンスが一致したと判定された場合、制御回路１１５は、無線受信部１１４が受信したパケットのペイロードに含まれる、機器の情報を、ペアリング情報レジスタ１１１に蓄積する。なお、機器の情報は、機器のカテゴリ、機器のアドレス、機器の暗号鍵である。
【０１３８】
無線受信部１２３がパケットを受信した場合、無線受信部１２３は、受信されたパケットを制御回路１２７に出力する。制御回路１２７は、無線受信部１２３によって受信されたパケットがペアリング要求パケットであるかどうかを判別し、ペアリング要求パケットであると判別された場合は、無線送信部１２５に、ペアリング了承パケットの出力を要求し、この要求が取得されると、無線送信部１２５は、ペアリング了承パケットを送信する。このとき、制御回路１２７は、無線送信部１２５に対して、無線送信部１２５が送信するペアリング了承パケットの、送信先アドレス、ノンス、ＴＶ１２のカテゴリ、ＴＶ１２のアドレス、ＴＶ１２の暗号鍵を通知する。そして、無線送信部１２５は、通信された送信先アドレス等を有するペアリング了承パケットを送信する。制御回路１２７は、パケットの送信先は、ペアリング要求パケットと判別されたパケットの送信元アドレスとし、ノンスは、そのパケットのノンスとし、ＴＶ１２のカテゴリは、ＴＶ１２を示す識別子とし、ＴＶ１２のアドレスは、アドレスレジスタ１２４から読み出したアドレスとし、ＴＶ１２の暗号鍵は、制御回路１２７固有のデータ列とする。さらに制御回路１２７は、接続機器情報レジスタ１２９を読み出し、接続機器情報レジスタ１２９に蓄積されている、機器の情報があれば、その機器の情報に含まれる、その機器のカテゴリ、アドレス、暗号鍵を、無線送信部１２５に通知する。さらに制御回路１２７は、ペアリング要求パケットと判別されたパケットに含まれる送信元アドレスを、ペアリング情報レジスタ１２６に蓄積する。
【０１３９】
図１３にペアリング要求パケットの構成を示す。
【０１４０】
図１３において、１１９０はペアリング要求パケット、１１９１は送信先アドレス、１１９２は送信元アドレス、１１９３はパケット種別、１１９４はノンスである。ここで、送信先アドレス１１９１にはブロードキャストを示す識別子が入れられる。パケット種別１１９３にはペアリング要求を示す識別子を入れる。
【０１４１】
図１４にペアリング了承パケットの構成を示す。１２００はペアリング了承パケット、１２０１は送信先アドレス、１２０２は送信元アドレス、１２０３はパケット種別、１２０４はノンス、１２０５は機器の種別、１２０６は機器のアドレス、１２０７は機器の暗号鍵である。ここで、パケット種別１２０３にはペアリング了承パケットを示す識別子が入れられる。
【０１４２】
図１５は、複数の機器の情報を含む場合には、機器の種別１２０５、機器のアドレス１２０６、機器の鍵情報１２０７が繰り返し格納されることを示す図である。
【０１４３】
ここで、１２０８は複数の機器の情報を格納するペアリング了承パケットである。ペアリング了承パケット１２０８は、機器の種別１２０５、機器のアドレス１２０６、機器の鍵情報１２０７を備える機器データが複数個、含まれる。互いに異なる機器データは、互いに異なる機器のデータである。
【０１４４】
このように、ＤＶＲ１３のペアリング情報は、ＤＶＲ１３をＴＶ１２に接続したときに、ＴＶ１２に蓄積され、リモコン１１とＴＶ１２をペアリングした際に、ＴＶ１２によってリモコン１１に通知される。これにより、リモコン１１とＤＶＲ１３をペアリングすることなく、リモコン１１によってＤＶＲ１３を操作することが可能となる。
【０１４５】
次に、ＴＶ１２がない場合において、リモコン１１とＤＶＲ１３を直接ペアリングする際の動作について説明する。
【０１４６】
ＤＶＲ１３が有するペアリング用の押しボタン１４２が押されたことをＤＶＲ１３の制御回路１４６が検出した場合、一定時間ペアリング要求パケット待ちを制御回路１４６が行う。ＤＶＲ１３の無線受信部１４３は、パケットを受信した場合、受信したパケットを制御回路１４６に出力する。そして、制御回路１４６は、ペアリング要求パケット待ち時に無線受信部１４３がパケットを受信し、そのパケットの種別がペアリング要求パケットであると判別される場合は、無線送信部１４５にペアリング了承パケットの出力を要求し、この要求があれば、無線送信部１４５は、ペアリング了承パケットを送信する。なお、制御回路１４６は、受信されたパケットがペアリング要求パケットか否かを判別し、ペアリング要求パケットと判別される場合は、上記要求を無線送信部１４５に行う。ここで、このとき、制御回路１４６は、無線送信部１４５に対して、無線送信部１４５が送信するペアリング了承パケットの送信先アドレス、ノンス、ＤＶＲ１３のカテゴリ、ＤＶＲ１３のアドレス、ＤＶＲ１３の暗号鍵を通知する。無線送信部１４５は、通知された送信先アドレス等を有するペアリング了承パケットを送信する。そして、制御回路１４６は、無線送信部１４５に通知するペアリング了承パケットの送信先は、ペアリング要求パケットの送信元アドレスとし、ノンスはペアリング要求パケットのノンスとし、ＤＶＲ１３のカテゴリはＤＶＲ１３を示す識別子とし、ＤＶＲ１３のアドレスは、アドレスレジスタ１４４から読み出したアドレスとし、ＤＶＲ１３の暗号鍵は、制御回路１４６固有のデータ列とする。さらに、制御回路１４６は、受信されたペアリング要求パケットの送信元アドレスをペアリング情報レジスタ１４７に蓄積する。
【０１４７】
次にリモコン１１のキーが押されたときの動作について説明する。
【０１４８】
制御回路１１５は、キー群１１６に含まれるキーが押されたことを検出すると、制御回路１１５キーが表１、表２、表３のいずれに属するキーかを表に基づいて判定する。そして、制御回路１１５は、押されたキーが表１に属するキーであれば、送信先をＴＶに決定する。また、制御回路１１５は、押されたキーが表２に属するキーであれば、送信先をＤＶＲに決定する。送信先レジスタ１１７は、表３に属するキーの送信先を決定するためのレジスタであり、値としてＴＶ１２もしくはＤＶＲ１３を保持している。すなわち、送信先レジスタ１１７は、ＴＶ１２を示す値又はＤＶＲ１３を示す値のうちの何れかの値を保持し、保持する値によって示される機器により、表３に属するキーの送信先を示す。制御回路１１５は、送信先レジスタ１１７によって示される機器を、表３のキーの送信先と決定する。制御回路１１５は、押されたキーが表３に属するキーであれば、送信先レジスタ１１７を読み出し、読み出した値がＴＶ１２であれば送信先をＴＶ１２に、ＤＶＲ１３であれば送信先をＤＶＲ１３に、決定する。
【０１４９】
さらに制御回路１１５は、送信先をＴＶ１２に決定した場合、ペアリング情報レジスタ１１１から、機器の属性がＴＶ１２の機器の情報すなわち、機器のアドレスと機器の暗号鍵を取り出す。ここで、送信先をＴＶに決定した場合で機器の属性がＴＶ１２の機器の情報がなければ処理を終了する。他方、制御回路１１５は、送信先をＤＶＲ１３に決定した場合、ペアリング情報レジスタ１１１から、機器の属性がＤＶＲ１３の機器の情報すなわち、機器のアドレスと機器の暗号鍵を取り出す。ここで、送信先をＤＶＲに決定した場合で、機器の属性がＤＶＲ１３の機器の情報がなければ処理を終了する。
【０１５０】
制御回路１１５は、押されたキーを示すデータ列であるコマンドを、送信するパケットのペイロードとし、さらにペイロードを機器の暗号鍵で暗号化する。すなわち、制御回路１１５は、暗号化したペイロードを有するパケットを送信する。制御回路１１５は、暗号化したコマンドと機器のアドレスを無線送信部１１２に通知し、コマンドが通知されたコマンドであり、宛先が通知したアドレスの機器であるコマンドパケットの送信を無線送信部１１２に要求する。無線送信部１１２はコマンドパケットの送信が制御回路１１５によって要求された場合、コマンドパケットを組み立て送信する。さらに制御回路１１５は、コマンドパケットを無線送信部１１２に送信させた後、無線受信部１１４を一定時間待ちうけ状態にするとともに、制御回路１１５自身を一定時間コマンドパケット出力後の受信待ちうけ状態とする。
【０１５１】
図１６は、コマンドパケットの構成を示す図である。
【０１５２】
１２１０はコマンドパケット、１２１１は送信先アドレス、１２１２は送信元アドレス、１２１３はコマンド種別、１２１４は暗号化されたコマンドである。
【０１５３】
無線送信部１１２は、送信先アドレスとして制御回路１１５から通知された機器のアドレスを、コマンド種別１２１３としてコマンドパケットを示す識別子を、暗号化されたコマンド１２１４として制御回路１１５から通知された暗号化されたコマンドを格納する。
【０１５４】
無線受信部１１４が受信待ちうけ中にパケットを受信した場合、パケットを制御回路１１５に通知する。制御回路１１５は、パケットの種別を判定する。受信パケットが拒否パケットであった場合で、パケットの送信先がＤＶＲであった場合、送信先レジスタ１１７の値をＴＶに変更する。また受信パケットがリダイレクトパケットであった場合、リダイレクトパケットから送信先アドレスを抽出する。そして、ペアリング情報レジスタ１１１から送信先アドレスと同一の機器を検索する。同一の機器があれば送信先レジスタ１１７の値を検索された機器の種別に変更するとともに、再度コマンドパケットの送信を行う。このとき制御回路１１５は、送信先として、新たな送信先レジスタ１１７の値にもとづいて決定する。送信先レジスタ１１７の値は、ＴＶがＴＶ送信状態１１７０に、ＤＶＲがＤＶＲ送信状態１１７１に対応する。
【０１５５】
ＴＶ１２の映像出力動作について説明する。ＴＶ１２には３つの映像源がある。一つはメニュー生成部１３０の生成するメニューであり、一つはＴＵＮＥＲ３１が受信する番組であり、最後はＨＤＭＩ入力部１３２で入力されるＤＶＲ１３の映像である。出力レジスタ１２８は、これら３つの映像のどれをディスプレイ１３３に出力するかを蓄積するレジスタである。出力レジスタ１２８は、メニュー、ＴＶ、ＤＶＲの３つの値のうちの何れかの値をとる。制御回路１２７は、映像出力を変更するごとに出力レジスタ１２８を変更する。選択回路１３４にはメニュー生成部１３０、ＴＵＮＥＲ１３１、ＨＤＭＩ入力部１３２で生成または、入力された映像が入力され、出力レジスタ１２８の値に従って入力を選択しディスプレイに表示する。
【０１５６】
無線受信部１２３は、リモコン１１の無線送信部１１２によって送信されたパケットを受信したとき、受信されたパケットを、制御回路１２７に出力する。制御回路１２７は、出力されたパケットの送信元アドレスがペアリング情報レジスタ１２６に含まれるパケットである場合、パケットがコマンドパケットかどうかを判定し、コマンドパケットである場合、表９に示す動作を行う。
【０１５７】
【表９】
0004440338.tif 000010
【０１５８】
メニュー生成部１３０は、ＴＶ１２に入力されたコマンドに応じて、図３のＴＶ１２のメニュー１１００および図４の番組表のメニュー１１１０を生成し、生成された図３のＴＶ１２のメニュー１１００などを、選択回路１３４に出力するとともに、ＤＶＲ切換ボタン１１０２が実行された場合、実行されたことを、制御回路１２７に通知する。
【０１５９】
制御回路１２７は、ＤＶＲ切換ボタン１１０２の実行が上記メニュー生成部１３０により制御回路１２７に通知された場合、出力レジスタ１２８の値をＤＶＲの値にするとともに、ＣＥＣを通じて、ＤＶＲ１３に対してＤＶＲ切換を通知する。
【０１６０】
またメニュー生成部１３０は、図４に示される番組表のメニュー１１１０で番組表示１１１３が選択された場合、すなわち決定キー７５が押されて放送局が選択された場合は、選択された番組表示の放送局を、制御回路１２７に通知する。制御回路１２７は、選択された番組表示の放送局がメニュー生成部１３０により通知された場合、出力レジスタ１２８の値を、ＴＶの値に変更するとともに、ＴＵＮＥＲ１３１に、選択された、番組表示の放送局を通知する。なお、メニュー生成部１３０は、ＴＵＮＥＲ１３１から番組情報を取得し、番組表のメニュー１１１０を生成する。
【０１６１】
制御回路１２７は、出力レジスタ１２８の値がＤＶＲの値から他の値に変更したもしくはされた場合、ＤＶＲ１３にＤＶＲ非表示を通知する。
【０１６２】
ＴＵＮＥＲ１３１は、無線受信部１２３に入力されたコマンドにしたがって、ＴＵＮＥＲ１３１が受信する放送局を変更し、受信される、その放送局の映像を、選択回路１３４に出力する。また、ＴＵＮＥＲ１３１は、番組表のメニュー１１１０で選択された番組表示の放送局が、ＴＵＮＥＲ１３１に対して通知された場合、その放送局を受信する。
【０１６３】
出力レジスタ１２８の値の、ＴＶの値は、チューナ状態１１５１（図８）に対応し、ＤＶＲ１３はＨＤＭＩ入力状態１１５２に対応し、メニューはメニュー状態１１５０にそれぞれ対応する。
【０１６４】
図１７にリダイレクトパケットの構成を示す。
【０１６５】
１２２０はリダイレクトパケット、１２２１は送信先アドレス、１２２２は送信元アドレス、１２２３はパケット種別、１２３４はリダイレクト先アドレスである。パケット種別１２２３はリダイレクトパケットを示す識別子を格納し、リダイレクト先アドレス１２２４には、接続機器情報レジスタ１２９に蓄積されている機器で、機器の種別がＤＶＲ１３である機器のアドレスが格納される。
【０１６６】
ＨＤＭＩ入力部１３２を通じて、制御回路１２７に対して、ＤＶＲ１３からＴＶ切換が通知されると、制御回路１２７は出力レジスタ１２８の値を、ＴＶの値に変更する。
【０１６７】
ＤＶＲ１３の動作について説明する。ＤＶＲ１３は、あらかじめユーザが指定した放送番組をＨＤＤに記録する録画予約機能と、録画した放送番組を再生する再生機能を持つ。
【０１６８】
出力レジスタ１４８は、ＤＶＲ１３の出力する映像を示すレジスタであり、値としてメニューとコンテンツをとる。出力レジスタ１４８は、メニューの値を保持することで、出力される映像がメニューの映像であることを示し、コンテンツの値を保持することで、出力される映像がコンテンツの映像であることを示す。メニュー生成部１５０は、制御回路１４６の指示するメニューを作成し、作成したメニューのデータを、スイッチ１５５に出力する。ＨＤＤドライブ１５２は、制御回路１４６の指示するコンテンツを、デコーダ１５４に出力する。デコーダ１５４は、入力されたコンテンツを復号し映像に変換しスイッチ１５５に出力する。スイッチ１５５は、出力レジスタ１４８の値を読み取り、値がメニューの値であれば、メニュー生成部１５０の出力を、ＨＤＭＩ出力部１５３に出力し、値がコンテンツの値であれば、デコーダ１５４の映像をＨＤＭＩ出力部１５３に出力する。表示レジスタ１４９は、ＤＶＲ１３の出力する映像がＴＶ１２に表示されているかどうかを示すレジスタで、値として表示と非表示をとる。
【０１６９】
ＴＶ１２からＨＤＭＩ出力部１５３を経由してＤＶＲ切換がＤＶＲ１３に通知されたとき、制御回路１４６は、メニュー生成部１５０に、ＤＶＲ１３のメニュー１１２０を生成させる。また、制御回路１４６は、表示レジスタ１４９に、表示の値、すなわち、ＤＶＲ１３の出力する映像がＴＶ１２に表示されていることを示す値をセットする。またＴＶ１２からＨＤＭＩ出力部１５３を経由してＤＶＲ非表示が通知されたとき、制御回路１４６は表示レジスタに、非表示の値をセットする。
【０１７０】
無線受信部１４３は、パケットを無線受信部１４３が受信したとき、受信されたパケットを、制御回路１４６に出力する。制御回路１４６は、受信されたパケットの送信元アドレスがペアリング情報レジスタ１４７に蓄積されるアドレスが含まれるパケットである場合、そのパケットがコマンドパケットかどうかを判定し、コマンドパケットである場合、表１０に示す動作を行う。
【０１７１】
【表１０】
0004440338.tif 000011
【０１７２】
メニュー生成部１５０は、ＤＶＲ１３に入力されたコマンドに応じて、図５のＤＶＲのメニュー１１２０、図４の番組表のメニュー１１１０、図６のコンテンツ一覧のメニュー１１３０、図７の予約一覧のメニュー１１４０を生成し、それぞれ、スイッチ１５５に出力する。メニュー生成部１５０は、ＴＵＮＥＲ１５１から番組の情報を取得し、番組表のメニュー１１１０を生成する。また、メニュー生成部１５０は、コンテンツ一覧１５７からコンテンツ一覧を取得しコンテンツ一覧のメニュー１１３０を生成する。またメニュー生成部１５０は、予約一覧１５６から予約一覧を取得し、予約一覧のメニュー１１４０を生成する。
【０１７３】
メニュー生成部１５０は、ＴＶ切換ボタン１１２４（図５）が押された場合、制御回路１４６にＴＶ切換を通知する。制御回路１４６は、表示レジスタ１４９の値を、非表示の値に変更するとともに、ＨＤＭＩ出力部１５３を通じてＴＶ１２にＴＶ切換を通知する。メニュー生成部１５０は、コンテンツ表示１１３１（図６）が押された場合、当該コンテンツすなわち押すことにより選択されたコンテンツを、制御回路１４６に通知する。制御回路１４６は、ＨＤＤドライブ１５２に、メニュー生成部１５０により通知されたコンテンツの再生を要求するとともに、出力レジスタ１４８の値を、コンテンツの値に変更する。メニュー生成部１５０は、番組表示１１１３（図４）が押された場合、予約一覧１５６に押された番組を追加する。メニュー生成部１５０は、予約表示１１４１が押された場合、予約一覧１５６（図１２）から当該予約を削除する。またメニュー生成部１５０は、時計を持ち、時計の示す時刻が、番組予約が開始される時刻になると、ＴＵＮＥＲ１５１に当該予約を通知し、また予約一覧１５６から当該予約を削除する。ＴＵＮＥＲ１５１は、メニュー生成部１５０により通知された予約の番組の放送局を選局し、ＨＤＤドライブ１５２に録画を要求するとともに、コンテンツ名をＨＤＤドライブ１５２に通知する。ＨＤＤドライブ１５２は、通知された予約のコンテンツを録画するとともに、コンテンツ一覧１５７に当該コンテンツを追加する。
【０１７４】
ＨＤＤドライブ１５２は、再生キー１９０、早送りキー１９１、巻き戻しキー１９２、停止キー１９３（図２）のコマンドが通知された場合は、それぞれ、等速再生、早送り再生、巻き戻し再生、停止を行う。
【０１７５】
図１８に拒否パケットの構造を示す。
【０１７６】
１２３０は拒否パケット、１２３１は送信先アドレス、１２３２は送信元アドレス、１２３３はパケット種別である。送信先アドレス１１９１にはコマンドパケットの送信元アドレスが入れられ、パケット種別１２３３には拒否パケットを示す識別子を入れる。
【０１７７】
このような実施の形態Ａにより、複数の機器を制御する無線リモコンは、それぞれの機器とペアリングを行う必要があり煩雑であった問題を解消できる。すなわち、例えば図３などによって簡潔に示されるように、ＴＶ１２と、ＤＶＲ１３（Ｄｉｇｉｔａｌ  Ｖｉｄｅｏ  Ｒｅｃｏｒｄｅｒ）とを、無線通信を介して制御するリモコン１１において、ＤＶＲ１３をＴＶ１２にＨＤＭＩで接続した際に、ＤＶＲ１３のアドレス、暗号鍵などの無線制御情報をＴ１Ｖ２にＣＥＣを用いて送信し、ＴＶ１２はこれを蓄積する。そして、ＴＶ１２とリモコン１１のペアリングをする際に、ＴＶ１２はＴＶ１２の無線制御情報をリモコン１１に通知するのみならず、蓄積したＤＶＲ１３の無線制御情報をリモコン１１に通知する。これによって、ユーザはリモコン１１とＤＶＲ１３のペアリングを行うことなく、リモコン１１でＤＶＲ１３を制御することが可能となる。
【０１７８】
（実施の形態Ｂ）
実施の形態Ｂは、識別方法、リモコン装置、受信装置及び、ワイヤレスリモコンシステムに関し、より詳しくは、ユーザの見通し範囲内に存在する受信装置に対して、初期の設置設定や切り替え操作なしに、リモコン装置を自動的に識別させる識別方法、リモコン装置、受信装置及び、ワイヤレスリモコンシステムに関するものである。
【０１７９】
そして、実施の形態Ｂの識別方法は、ワイヤレスリモコンシステムにおける受信装置がリモコン装置を識別する識別方法であって、前記リモコン装置は、前記リモコン装置に設けられたボタンの操作が行われたことを検知した際に、前記リモコン装置を表す識別子を見通し範囲内にのみ伝送可能な第一の通信媒体を介して送信し、前記識別子と、前記受信装置を操作する操作情報とを第二の通信媒体を介して送信し、前記受信装置は、前記リモコン装置が送信した前記第一の通信媒体及び、前記第二の通信媒体とからそれぞれ識別子を取得し、両識別子が一致するか否かを判定することで送信元を識別することを特徴としている。
【０１８０】
この識別方法によれば、ユーザがボタン等を操作した際に、リモコン装置から受信装置に対し、見通し範囲内にのみ伝送可能な第一の通信媒体及び、第二の通信媒体を介して操作を行ったリモコン装置を表す識別子及び、操作情報を送信する。そして、受信装置において、第一の通信媒体及び、第二の通信媒体を介して取得されるそれぞれの識別子から、二つの通信媒体の送信元が同一であるかどうかを自動的に判定することが可能となる。
【０１８１】
実施の形態Ｂのワイヤレスリモコンシステムは、キー操作に応じた操作情報を送信するリモコン装置と、前記リモコン装置から送信される前記操作情報を受信する受信装置とを備えるワイヤレスリモコンシステムであって、前記リモコン装置は、一つ以上の操作キーと、前記操作キーの操作が行われたことを検知した際に、前記操作キーに対応した操作情報を生成する操作情報生成部と、前記操作情報の生成元を表す識別子を保存する識別子保存部と、前記識別子を見通し範囲内にのみ伝送可能な第一の通信媒体を介して送信する第一送信部と、前記識別子と、前記操作情報とを第二の通信媒体を介して送信する第二送信部とを備え、前記受信装置は、第一の通信媒体を介してリモコン装置を表す識別子を受信する第一受信部と、第二の通信媒体を介してリモコン装置から送信された操作情報と、識別子とを受信する第二受信部と、前記第一の通信媒体及び、前記第二の通信媒体とからそれぞれ識別子を取得し、両識別子が一致するか否かを判定することで送信元の識別を行う識別子判定部と、前記判定部において一致すると判定された場合、前記第二の通信媒体から受信した操作情報に対応した操作を実行する操作実行部とを備えることを特徴としている。
【０１８２】
この実施の形態Ｂのワイヤレスリモコンシステムによれば、ユーザがリモコン装置に設けられた操作キーの操作を行った場合、リモコン装置から受信装置に対し、見通し範囲内にのみ伝送可能な第一の通信媒体及び、第二の通信媒体を介して操作を行ったリモコン装置を表す識別子と、操作情報とを送信する。そして、受信装置において、第一の通信媒体及び、第二の通信媒体から識別子をそれぞれ取得し、取得された識別子が一致するか否かを判定し、二つの識別子が一致する場合にのみ、リモコン装置が要求する操作を実行することができる。
【０１８３】
このような実施の形態Ｂによれば、例えば複数のリモコン装置から受信装置に操作情報が送信される状況であっても、ユーザは、受信装置にリモコン装置を特定させるための設置設定又は、切り替え操作といった事前設定等を行う必要がなく、対象とするリモコン装置のみを受信装置に自動的に認識させることが可能となる。
【０１８４】
また、実施の形態Ｂにおいては、ワイヤレスリモコンシステムにおける受信装置がリモコン装置を識別する識別方法であって、前記リモコン装置は、前記リモコン装置に設けられたボタンの操作が行われたことを検知した際に、前記リモコン装置を表す識別子を見通し範囲内にのみ伝送可能な第一の通信媒体を介して送信し、前記識別子と、前記受信装置を操作する操作情報とを第二の通信媒体を介して送信し、前記受信装置は、前記リモコン装置が送信した前記第一の通信媒体及び、前記第二の通信媒体とからそれぞれ識別子を取得し、両識別子が一致するか否かを判定することで送信元を識別することを特徴としている。
【０１８５】
この識別方法によれば、ユーザがボタン等を操作した際に、リモコン装置から受信装置に対し、見通し範囲内にのみ伝送可能な第一の通信媒体及び、第二の通信媒体を介して操作を行ったリモコン装置を表す識別子及び、操作情報を送信する。そして、受信装置において、第一の通信媒体及び、第二の通信媒体を介して取得されるそれぞれの識別子から、二つの通信媒体の送信元が同一であるかどうかを自動的に判定することができる。
【０１８６】
これにより、例えば複数のリモコン装置から受信装置に操作情報が送信される状況であっても、ユーザは、受信装置にリモコン装置を特定させるための設置設定又は、切り替え操作といった事前設定等を行う必要がなく、対象とするリモコン装置のみを受信装置に自動的に認識させることが可能となる。
【０１８７】
また、前記識別方法において、前記第一の通信媒体に赤外線を用いることを特徴とする構成にしてもよい。
【０１８８】
この識別方法によれば、ユーザがボタン等を操作した際に、リモコン装置から受信装置に対し、赤外線を介してリモコン装置を表す識別子を送信し、第二の通信媒体を介して当該識別子と、当該ボタン操作に対応した操作情報と、を送信する。そして、受信装置において、赤外線を介して取得する識別子と、第二の通信媒体を介して取得する識別子とから、二つの通信媒体の送信元が同一であるかどうかを自動的に判定することができる。
【０１８９】
これにより、例えば複数のリモコン装置から受信装置に操作情報が送信される状況であっても、ユーザは、受信装置にリモコン装置を特定させるための設置設定又は、切り替え操作といった事前設定等を行う必要がなく、赤外線の指向性を用いることで受信装置と直線的に向かいあったリモコン装置のみを自動的に認識させることが可能となる。
【０１９０】
また、前記識別方法において、前記第二の通信媒体に電波を用いることを特徴とする構成にしてもよい。
【０１９１】
この識別方法によれば、ユーザがボタン等を操作した際に、リモコン装置から受信装置に対し、赤外線及び、電波を介して操作を行ったリモコン装置を表す識別子と、操作情報とを送信する。そして、受信装置において、赤外線及び、電波を介して取得されるそれぞれの識別子から、二つの通信媒体の送信元が同一であるかどうかを自動的に判定することができる。
【０１９２】
これにより、例えば障害物を隔てて、複数のリモコン装置から受信装置に操作情報が送信される状況であっても、ユーザは、受信装置にリモコン装置を特定させるための設置設定又は、切り替え操作といった事前設定等を行う必要がなく、対象とするリモコン装置のみを受信装置に自動的に認識させることが可能となる。
【０１９３】
また、キー操作に応じた操作情報を送信するリモコン装置と、前記リモコン装置から送信される前記操作情報を受信する受信装置とを備えるワイヤレスリモコンシステムであって、前記リモコン装置は、一つ以上の操作キーと、前記操作キーの操作が行われたことを検知した際に、前記操作キーに対応した操作情報を生成する操作情報生成部と、前記操作情報の生成元を表す識別子を保存する識別子保存部と、前記識別子を見通し範囲内にのみ伝送可能な第一の通信媒体を介して送信する第一送信部と、前記識別子と、前記操作情報とを第二の通信媒体を介して送信する第二送信部とを備え、前記受信装置は、第一の通信媒体を介してリモコン装置を表す識別子を受信する第一受信部と、第二の通信媒体を介してリモコン装置から送信された操作情報と、識別子とを受信する第二受信部と、前記第一の通信媒体及び、前記第二の通信媒体とからそれぞれ識別子を取得し、両識別子が一致するか否かを判定することで送信元の識別を行う識別子判定部と、前記判定部において一致すると判定された場合、前記第二の通信媒体から受信した操作情報に対応した操作を実行する操作実行部とを備えることを特徴とするワイヤレスリモコンシステムを用いてもよい。
【０１９４】
このワイヤレスリモコンシステムによれば、ユーザがリモコン装置に設けられた操作キーの操作を行った場合、リモコン装置から受信装置に対し、見通し範囲内にのみ伝送可能な第一の通信媒体及び、第二の通信媒体を介して操作を行ったリモコン装置を表す識別子と、操作情報とを送信する。そして、受信装置において、第一の通信媒体及び、第二の通信媒体から識別子をそれぞれ取得し、取得された識別子が一致するか否かを判定し、二つの識別子が一致する場合にのみ、リモコン装置が要求する操作を実行することができる。
【０１９５】
これにより、例えば複数のリモコン装置から受信装置に操作情報が送信される状況であっても、ユーザは、受信装置にリモコン装置を特定させるための設置設定又は、切り替え操作といった事前設定等を行う必要がなく、対象とするリモコン装置からの操作のみを受信装置において識別することが可能となる。
【０１９６】
また、前記ワイヤレスリモコンシステムにおいて、前記リモコン装置における前記第一の通信媒体に、赤外線を用いることを特徴とする構成にしてもよい。
【０１９７】
このワイヤレスリモコンシステムによれば、ユーザがリモコン装置に設けられた操作キーの操作を行った場合、赤外線を介してリモコン装置を表す識別子を送信し、第二の通信媒体を介して当該識別子と、当該キー操作に対応した操作情報と、を送信することができる。
【０１９８】
これにより、ユーザは操作情報を受信装置に送信する際、リモコン装置を特定させる設置設定又は、切り替え操作といった事前設定を行う必要がなく、例えばリモコン装置の識別が事前設定のし忘れによって適切に出来ていない場合、対象ではないテレビが動作してしまう等の誤動作を低減することが可能となる。さらに、リモコン装置と受信装置とが直線的に向かい合う位置に配置されている場合のみ、操作を実行することが可能となる。
【０１９９】
また、前記ワイヤレスリモコンシステムにおいて、前記リモコン装置における前記第二の通信媒体に、電波を用いることを特徴とする構成にしてもよい。
【０２００】
このワイヤレスリモコンシステムによれば、ユーザがリモコン装置に設けられた操作キーの操作を行った場合、赤外線を介してリモコン装置を表す識別子を送信し、電波を介して当該識別子と、当該キー操作に対応した操作情報と、を送信することができる。
【０２０１】
これにより、大量のデータ転送を双方向通信が可能な無指向性の電波を用いて行う場合においても、ユーザはリモコン装置を特定させる設置設定又は、切り替え操作といった事前設定を行う必要なく、リモコン装置と直線的に向かい合う位置に配置されている受信装置に対し、対象となるリモコン装置を自動的に識別させることが可能となる。
【０２０２】
また、前記ワイヤレスリモコンシステムにおいて、前記受信装置に備えられた前記識別子判定部は、前記第一の通信媒体を介して得られる識別子と、前記第二の通信媒体を介して得られる識別子とを蓄積し、当該蓄積した両識別子が一致しているか否かを判定することで送信元の識別を行うことを特徴とする構成にしてもよい。
【０２０３】
このワイヤレスリモコンシステムによれば、リモコン装置を表す識別子を第一の通信媒体を介して受信し、さらに、操作情報と、識別子を第二の通信媒体を介して受信する。そして、第一の通信媒体と、第二の通信媒体を介して得られる識別子を蓄積し、蓄積された二つの識別子が一致した場合のみ、リモコン装置によって要求される操作が実行することができる。
【０２０４】
これにより、例えば第一の通信媒体の伝播速度と、第二の通信媒体の伝播速度とが異なる場合であっても、対象とするリモコン装置のみを自動的に識別することができるため、リモコン装置を特定させる設置設定又は、切り替え操作といった事前設定を行う必要がなく、目的の操作のみを実行することが可能となる。
【０２０５】
（実施の形態Ｂ１）
以下、本発明の実施の形態Ｂ１におけるワイヤレスリモコンシステム２について、図面を参照しながら説明する。
【０２０６】
図１９は、リモコン装置２２００及び、受信装置２４００とを備えるワイヤレスリモコンシステム２の構成図である。
【０２０７】
ここで、図１９において、リモコン装置２２００と受信装置２４００は、見通し範囲内に伝送可能な第一の通信媒体２１０３と、第二の通信媒体２１０４とを介して通信を行うことができるように構成されている。なお、ここで、見通し範囲内とは、具体的には、例えば、第一の通信媒体２１０３により通信する装置の位置から見通せる範囲内を意味する。例えば、第一の通信媒体２１０３の伝送範囲は、第二の通信媒体２１０４の一部分を構成する。第一の通信媒体２１０３の伝送範囲は、第二の通信媒体２１０４の伝送範囲よりも狭い。
【０２０８】
リモコン装置２２００は、ワイヤレスリモコンシステム２のユーザがリモコン装置２２００に設けられた操作キーの操作を行った場合、操作キーに対応した操作情報と、送信元であるリモコン装置２２００を表す識別子とを、見通し範囲内に伝送可能な第一の通信媒体２１０３及び、第二の通信媒体２１０４を介して、受信装置２４００に送信することができる。なお、後で詳しく説明されるよう、リモコン装置２２００は、第一の通信媒体２１０３を介して、識別子のみを送信すると共に、第二の通信媒体２１０４を介して識別子および操作情報を送信する。なお、リモコン装置２２００は、複数の押しボタンスイッチが備えられたテレビのリモコンに限らず、例えばマウス、トラックボール、ジョイスティック等のポインティングデバイス又は、タッチパネルが設けられたリモコン装置等を利用しても構わない。
【０２０９】
受信装置２４００は、リモコン装置２２００より、見通し範囲内に伝送可能な第一の通信媒体２１０３を介して、リモコン装置２２００を表す識別子を受信する。さらに、受信装置２４００は、第二の通信媒体２１０４を介して、ユーザからのリモコン装置２２００への操作内容を示す操作情報、及び、識別子を受信する。そして、第一の通信媒体２１０３及び、第二の通信媒体２１０４から取得した二つの識別子が一致するか否かを判定し、一致していると識別（判定）された場合のみ、ユーザが要求する操作の処理、すなわち操作情報により示される操作の処理を実行する。これにより、受信装置２４００にリモコン装置２２００を特定させるための設置設定又は、切り替え操作といった事前設定等を行う必要がなく、対象とするリモコン装置２２００からの操作のみを受信装置２４００において識別させることができる。すなわち、このリモコン装置２２００以外の装置からの信号と、このリモコン装置２２００からの操作の信号とを、受信装置２４００は区別できる。対象とするリモコン装置とは、リモコン装置２２００である。なお、受信装置２４００は、テレビに限定されるものではなく、ＤＶＤレコーダ等の、遠隔操作を受けることが可能な電子機器等を利用しても構わない。なお、受信装置２４００において、識別（処理）させるとは、具体的には、全体であるワイヤレスリモコンシステム２が、その全体（ワイヤレスリモコンシステム２）が有する一部分（受信装置２４００）によって、その処理（識別）を行い、すなわち、その一部分（受信装置２４００）が、その処理（識別）を行うことである。
【０２１０】
見通し範囲内に伝送可能な第一の通信媒体２１０３は、リモコン装置２２００を表す識別子を伝送する。なお、第一の通信媒体２１０３は、見通しの範囲内にのみ伝送可能な通信媒体であればよく、例えば、指向性を持つ赤外線を利用しても構わないし、無指向性の音波又は超音波等を利用しても構わない。
【０２１１】
第二の通信媒体２１０４は、リモコン装置２２００を表す識別子及び、ユーザがボタン等を操作した際に生成される操作情報を伝送する。なお、第二の通信媒体２１０４は、操作情報を伝送可能な通信媒体であればよく、例えばＩＥＥＥ８０２．１１に策定される通信規格に基づく電波や、ＩＥＥＥ８０２．１５．１に策定される通信規格に基づくＢｌｕｅｔｏｏｔｈ等の通信媒体を利用しても構わない。
【０２１２】
以下、本発明の実施の形態Ｂ１におけるワイヤレスリモコンシステム２において使用されるリモコン装置２２００について説明していく。
【０２１３】
図２０は、実施の形態Ｂ１のリモコン装置２２００の構成要素のブロック図である。本発明のリモコン装置２２００は、操作情報生成部２２０１、識別子保存部２２０２、第一送信部２２０３、第二送信部２２０４から構成されている。
【０２１４】
なお、ここで言われる「構成される」とは、具体的には、例えば、全体（リモコン装置２２００）が、各部分（操作情報生成部２２０１等）を含むことを意味する。全体は、それらの各部分以外の部分をさらに有してもよいし、それらの各部分のみから構成されてもよい。
【０２１５】
なお、上記操作情報生成部２２０１等は、それぞれ、リモコン装置２２００が有する機能の機能ブロックである。リモコン装置２２００の機能には、上記操作情報生成部２２０１等の機能が含まれる。操作情報生成部２２０１等の各機能ブロックの機能は、それぞれ、例えば、オブジェクト指向言語のコンピュータプログラムにおける１つのオブジェクトによって実現される機能であってもよい。また、各機能は、それぞれ、２つ以上のオブジェクトによって実現される機能であってもよい。また、各機能ブロックの機能は、それぞれ、１つの関数により実現される機能などであってもよい。また、リモコン装置２２００が有する、以下で説明される各機能のうちの少なくとも一部は、ハードウェアによって実現される機能であってもよい。
【０２１６】
以上のように構成されたリモコン装置２２００について、図面を参照しながら以下にその動作を説明する。
【０２１７】
操作情報生成部２２０１は、ユーザがリモコン装置２２００に設けられた操作キーの操作を行ったのを検知し、この検知をした場合、操作キーに対応した操作情報（その操作を特定する情報）の生成を行い、生成した操作情報を第二送信部２２０４へ出力する。なお、操作情報生成部２２０１は、操作情報を生成する際には、例えば操作情報生成部２２０１に設けられるなどした記憶メモリ等に蓄積された、操作キーと、操作情報とを対応させたデータを利用しても構わないし、操作キーに関する情報のデータ処理結果を利用しても構わない。例えば、操作情報生成部２２０１は、具体的には、操作キーに対応付けて、その操作キーによる操作を特定する操作情報を記憶する対応記憶部を備えてもよい。そして、操作情報生成部２２０１は、操作がされた操作キーに対して、この対応記憶部が対応させる操作情報を取得することにより、適切な操作情報を生成してもよい。また、例えば、操作情報生成部２２０１は、具体的には、操作キーに対して演算を施すことによって、適切な操作情報を算出する算出機能を含み、この算出を行うことにより、適切な操作情報を生成するものとしてもよい。
【０２１８】
識別子保存部２２０２は、リモコン装置２２００を一意に表す識別子が保存されており、第一送信部２２０３及び、第二送信部２２０４に対して、それぞれ、保存されているこの識別子を出力する。なお、識別子としては、リモコン装置２２００を一意に表すことが可能な情報であればよく、例えば、無線通信のためにネットワーク機器に割り当てられるＭＡＣアドレス（Ｍｅｄｉａ Ａｃｃｅｓｓ Ｃｏｎｔｒｏｌ Ａｄｄｒｅｓｓ）の全部又は一部を識別子として利用してもよく、より具体的には、例えば、ＭＡＣアドレスの下位２４ビットを識別子として利用しても構わないし、操作キーの操作をユーザが行った時間をビット化したビット化データを識別子として利用しても構わない。また、識別子は、予めリモコン装置２２００と対応した情報を生成しておき、生成された情報を識別子として識別子保存部２２０２に保存させておいても構わないし、操作キーによって操作が行われた際、例えば識別子保存部２２０２などが、識別子を生成して、生成された識別子を保存する構成にしても構わない。なお、識別子の生成タイミングは、操作情報を生成するタイミングに同期させても構わないし、操作情報の生成と時間差を設け、操作情報を生成した前又は、後に識別子を生成しても構わない。識別子保存部２２０２は、識別子を生成するのと、操作情報を生成するのとを、一方を他方に同期させて行うものとしてもよいし、同期させずに行ってもよい。なお、保存される識別子は、具体的には、例えば、受信装置２４００に識別子を送信する可能性を有する予め定められた各装置のうちからリモコン装置２２００を識別するデータである。
【０２１９】
第一送信部２２０３は、識別子保存部２２０２に保存された識別子を、リモコン装置２２００の見通しの範囲内に伝送可能な第一の通信媒体２１０３を介して送信する。
【０２２０】
第二送信部２２０４は、操作情報生成部２２０１において生成された操作情報及び、識別子保存部２２０２に保存された識別子を、第二の通信媒体２１０４を介して送信する。なお、第二送信部２２０４における送信のタイミングは、第一送信部２２０３と同期させても構わないし、第一送信部２２０３の送信と時間差を設け、どちらが先になっても構わない。
【０２２１】
以下、本発明の実施の形態Ｂ１におけるワイヤレスリモコンシステム２において使用されるリモコン装置２２００の動作について説明していく。
【０２２２】
図２１は、リモコン装置２２００における第一送信部２２０３から識別子が送信されるまでのフローチャートを示す。
【０２２３】
まず、リモコン装置２２００は、ユーザによって操作キーの操作が行われたことを検知すると、識別子保存部２２０２から識別子を取得し、取得された識別子を、第一送信部２２０３に出力する（Ｓ３０１）。
【０２２４】
そして、第一送信部２２０３は、識別子が識別子保存部２２０２によって第一送信部２２０３に通知（出力）されると、リモコン装置２２００の見通し範囲内に情報を伝送可能な先述の第一の通信媒体２１０３を搬送波として、出力された識別子を送信し、動作を終了する（Ｓ３０２）。
【０２２５】
図２２はリモコン装置２２００における第二送信部２２０４から識別子と、操作情報とが送信される処理のフローチャートを示す。
【０２２６】
まず、操作情報生成部２２０１において操作情報を生成し、操作情報生成部２２０１が、生成された操作情報を第二送信部２２０４へ出力する（Ｓ３０３）。
【０２２７】
そして、リモコン装置２２００はユーザによって操作キーの操作が行われたことを検知すると、識別子保存部２２０２から、識別子保存部２２０２に保存された識別子を取得し、取得された識別子を第二送信部２２０４へ出力する（Ｓ３０４）。
【０２２８】
そして、第二送信部２２０４は、識別子及び、操作情報が、識別子保存部２２０２及び操作情報生成部２２０１からそれぞれ通知されると、第二の通信媒体２１０４を搬送波として、通知されたそれら識別子及び操作情報を送信し、動作を終了する（Ｓ３０５）。なお、操作情報の生成と、識別子の取得は、時間的にどちらが先になっても構わないし、並列して処理を行っても構わない。
【０２２９】
なお、第一送信部２２０３及び、第二送信部２２０４の全体を、一つの送信部として構成しても構わない。さらに、第二送信部２２０４の動作タイミングは、第一送信部２２０３の動作に、例えば第二送信部２２０４などが同期させても構わないし、時間差を設けても構わない。
【０２３０】
以上のように、本実施の形態Ｂ１によれば、ユーザがリモコン装置２２００に設けられた操作キーの操作を行った場合、操作キーに対応した操作情報と、その送信の送信元を表す識別子とを自動的に生成し、見通し範囲内にのみ伝送可能な第一の通信媒体２１０３及び、第二の通信媒体２１０４を用いて、識別子と、操作情報とを送信する。
【０２３１】
これにより、ユーザは、操作情報を受信装置２４００に対して、リモコン装置２２００により送信する際、リモコン装置２２００を特定させる設置設定又は、切り替え操作といった事前設定を受信装置２４００に行う必要がなく、例えばリモコン装置２２００の識別がユーザの設定ミスにより適切に出来ていない場合などでも、対象ではないテレビが動作してしまう等の誤動作を低減することが可能となる。なお、本実施の形態Ｂ１におけるリモコン装置２２００では、識別子保存部２２０２において、識別子を、操作キーの操作が行われたタイミングで生成しているが、予め識別子を生成し、生成された識別子を予め識別子保存部２２０２に保存させておいても構わない。
【０２３２】
次に、本発明の実施の形態Ｂ１におけるワイヤレスリモコンシステム２において使用される受信装置２４００について説明していく。
【０２３３】
図２３は、実施の形態Ｂ１の受信装置２４００の構成要素のブロック図である。本発明の受信装置２４００は、第一受信部２４０１、第二受信部２４０２、識別子判定部２４０３、操作情報実行部２４０４から構成されている。
【０２３４】
以上のように構成された受信装置２４００について、図面を参照しながら以下にその動作を説明する。
【０２３５】
第一受信部２４０１は、識別子を、第一の通信媒体２１０３を介して受信し、この受信がされると、識別子判定部２４０３へ、この受信がされたことの通知を行う。
【０２３６】
第二受信部２４０２は、操作情報及び、識別子を第二の通信媒体２１０４を介して受信し、この受信がされると、識別子判定部２４０３へ、この受信がされたことの通知を行う。
【０２３７】
識別子判定部２４０３は、第一受信部２４０１から通知を受けると、第一の通信媒体２１０３より識別子を取得する。さらに、識別子判定部２４０３は、第二受信部２４０２から通知を受けると、第二の通信媒体２１０４から識別子及び、操作情報を取得する。そして、識別子判定部２４０３は、取得されたそれぞれの識別子が一致しているか否かを判定し、一致していると識別（判定）された場合のみ、操作情報を操作情報実行部２４０４へ出力する。すなわち、識別子判定部２４０３は、第一の通信媒体２１０３により取得された識別子と、第二の通信媒体２１０４により取得された識別子とが一致するか否かを判定する。そして、識別子判定部２４０３は、この判定で、一致すると判定されない場合には、第二の通信媒体２１０４により取得された操作情報を操作情報実行部２４０４へ出力しない。他方で、識別子判定部２４０３は、この判定で、一致すると判定される場合、取得された操作情報を操作情報実行部２４０４へ出力する。なお、識別子判定部２４０３では、どのような一致の判定を行うアルゴリズムを利用しても構わない。
【０２３８】
操作情報実行部２４０４は、識別子判定部２４０３から操作情報実行部２４０４に出力される操作情報を検知すると、出力された操作情報に対応した動作を実行する。
【０２３９】
図２４は、実施の形態Ｂ１における受信装置２４００の動作フローチャートである。
【０２４０】
まず、受信装置２４００は、第一受信部２４０１において、リモコン装置２２００から受信装置２４００に第一の通信媒体２１０３を通じて送信されるデータを受信する（Ｓ５０１）。つまり、Ｓ５０１では、第一受信部２４０１が、第一の通信媒体２１０３から、識別子を受信する。
【０２４１】
さらに、受信装置２４００は、第二受信部２４０２において、リモコン装置２２００から受信装置２４００に第二の通信媒体２１０４を通じて送信されるデータを受信する（Ｓ５０３）。
【０２４２】
次に、識別子判定部２４０３において、第一の通信媒体２１０３からの識別子を取得する（Ｓ５０２）。例えば、このＳ５０２で、具体的には、識別子判定部２４０３は、先にＳ５０１で第一受信部２４０１により受信されたデータのなかから識別子を抽出する。
【０２４３】
そして、識別子判定部２４０３において、第二の通信媒体２１０４からの操作情報及び、識別子を取得（抽出）する（Ｓ５０４）。例えば、このＳ５０４で、具体的には、識別子判定部２４０３は、先にＳ５０３で第二受信部２４０２により受信されたデータのなかから識別子を抽出する。なお、識別子の取得タイミング（抽出タイミング）は、第一受信部２４０１及び第二受信部２４０２おいて、第一の通信媒体２１０３からの識別子の受信と、第二の通信媒体２０１４からの操作情報及び識別子の受信のうちの両方の受信が検知されたタイミングを利用しても構わないし（すなわち、両方の受信が何れも行われた後に、抽出が行われてもよいし）、第二の通信媒体２１０４から識別子を取得した前又は後に、第一の通信媒体２１０３から識別子を取得しても構わない。
【０２４４】
さらに、識別子判定部２４０３は、第一の通信媒体２１０３を介して受信した識別子及び、第二の通信媒体２１０４を介して受信した識別子が一致しているか否かを判定する。識別子判定部２４０３は、一致していると識別（判定）された場合、取得した操作情報を操作情報実行部２４０４へ出力する（Ｓ５０５：Ｙｅｓ）。なお、識別子が一致しない場合は、そのまま図２４の動作をリモコン装置２２００は終了する（Ｓ５０５：ＮＯ）。
【０２４５】
そして、識別子判定部２４０３から出力された操作情報（Ｓ５０５：Ｙｅｓ）を、操作情報実行部２４０４は取得して、操作情報実行部２４０４において、取得された操作情報により示される操作の処理を実行し、動作を終了する（Ｓ５０６）。
【０２４６】
本発明の実施の形態Ｂ１によれば、例えば複数のリモコン装置から受信装置２４００に操作情報が送信される状況であっても、ユーザは、受信装置２４００にリモコン装置２２００を特定させるための設置設定又は、切り替え操作といった事前設定等を行う必要がなく、対象とするリモコン装置からの操作のみを受信装置において識別することができる。
【０２４７】
このワイヤレスリモコンシステム２によれば、ユーザの見通し範囲内に存在する受信装置に対して、初期の設置設定や切り替え操作なしに、リモコン装置２２００を自動的に識別させる識別方法、リモコン装置、受信装置及び、ワイヤレスリモコンシステムを提供する狙いを達成できる。
【０２４８】
すなわち、ユーザがボタン等を操作した際に、リモコン装置２２００から受信装置２４００に対し、見通し範囲内にのみ伝送可能な第一の通信媒体２１０３及び、第二の通信媒体２１０４を介して、ユーザが操作を行ったリモコン装置２２００を表す識別子及び、操作情報をリモコン装置２２００が送信する。そして、受信装置２４００において、第一の通信媒体２１０３及び、第二の通信媒体２１０４を介して取得されるそれぞれの識別子から、二つの通信媒体（第一の通信媒体２１０３、第二の通信媒体２１０４）の送信元が同一であるかどうかを判定することで、リモコン装置２２００を自動的に識別することが可能となる。
【０２４９】
なお、より詳細には、次に示される通りである。なお、以下の説明は、単なる一例を示す説明であり、以下の説明は限定を行うものではない。
【０２５０】
ワイヤレスリモコンシステム２は、リモコン装置２２００、受信装置２４００を備える。リモコン装置２２００は、ユーザによって操作されて、ユーザによって行われた操作を特定する操作情報を受信装置２４００に送信することにより、その操作の処理を受信装置２４００に行わせる。受信装置２４００は、リモコン装置２２００によって送信される操作情報を受信して、受信される操作情報の処理を行う。
【０２５１】
そして、リモコン装置２２００は、操作情報生成部２２０１、識別子保存部２２０２、第一送信部２２０３、第二送信部２２０４を備える。
【０２５２】
第一送信部２２０３は、赤外線（第一の通信媒体２１０３）によって、受信装置２４００に対して識別子を送信する。ここで、赤外線により送信がされるので、この送信による識別子の伝送範囲は、リモコン装置２２００の位置から見通せる範囲である。なお、第一送信部２２０３は、ユーザがリモコン装置２２００に対して操作を行った際に、この赤外線による送信を行うものとしてもよい。すなわち、第一送信部２２０３は、例えば、操作が行われることにより、後で詳しく説明される第二送信部２２０４による操作情報等の送信が行われるのと同時に、この赤外線による送信を行うものとしてもよい。
【０２５３】
また、第二送信部２２０４は、電波（第二の通信媒体２１０４）により受信装置２４００に対して操作情報及び識別子を送信する。ここで、第二送信部２２０４により送信される識別子は、第一送信部２２０３により送信される識別子と例えば同一であるなど、互いに一致する識別子である。なお、第二送信部２２０４は、例えば、ユーザがリモコン装置２２００に操作を行った場合に、その操作の操作情報と、識別子とを送信する。なお、先述のよう、この第二送信部２２０４の送信と例えば同時などで、第一送信部２２０３により、赤外線による識別子の送信が行われる。
【０２５４】
また、操作情報生成部２２０１は、リモコン装置２２００に対してユーザが行った操作を特定する操作情報を生成する。操作情報生成部２２０１によって生成された操作情報は、第二送信部２２０４によって受信装置２４００に対して電波で送信される。
【０２５５】
また、識別子保存部２２０２は、第一送信部２２０３および第二送信部２２０４によってそれぞれ送信される各識別子を保存し、すなわち記憶する。ここで、それら２つの識別子が互いに同一である場合、１つの識別子が保存される。
【０２５６】
そして、受信装置２４００は、第一受信部２４０１、第二受信部２４０２、識別子判定部２４０３、操作情報実行部２４０４を備える。
【０２５７】
第一受信部２４０１は、リモコン装置２２００の第一送信部２２０３によって赤外線で送信される識別情報を受信する。
【０２５８】
第二受信部２４０２は、リモコン装置２２００の第二送信部２２０４によって電波で送信される識別情報及び操作情報を受信する。
【０２５９】
識別子判定部２４０３は、赤外線で第一受信部２４０１に受信されたデータから抽出された識別子と、電波で第二受信部２４０２に受信されたデータから抽出された識別子とが一致するか否かを判定する。すなわち、識別子判定部２４０３は、赤外線で受信された識別子と、電波で受信された識別子とが一致するか否かを判定する。より具体的には、例えば、識別子判定部２４０３は、赤外線で識別子が受信された場合（図２４のＳ５０１参照）、受信された識別子を記憶する。識別子判定部２４０３は、こうしてリモコン装置２２００の第一送信部２２０３が赤外線で送信する識別子を記憶することにより、第一送信部２２０３によって送信された識別子が第一送信部２２０３によって登録される。そして、識別子判定部２４０３は、この登録がされたリモコン装置２２００へのユーザの操作以後における、リモコン装置２２００への各操作に際して、それぞれ、その操作に応じて第二送信部２２０４が送信する識別子（Ｓ５０４参照）と、登録された、赤外線で受信された識別子とが一致するか否かを判定する（Ｓ５０５参照）。そして、識別子判定部２４０３は、一致するとの判定がされない場合（Ｓ５０５：Ｎｏ）、すなわち、判定がされた電波での識別子が、リモコン装置２２００から受信された識別子ではないと判定される場合、その識別子と共に受信された操作情報は、操作情報実行部２４０４に出力しない。他方で、識別子判定部２４０３は、一致するとの判定がされた場合（Ｓ５０５：Ｙｅｓ）、すなわち、受信された識別子が、リモコン装置２２００から受信された識別子と判定された場合、操作情報を操作情報実行部２４０４に出力する。
【０２６０】
なお、識別子判定部２４０３は、識別子が登録がされた操作の際に、赤外線でのその識別子の送信と同時にされた、電波の送信での識別子と、登録したその識別子とが一致するか否かを判定してよい。そして、識別子判定部２４０３は、この判定において、一致するとの判定がされて、一致することが確認された場合に、操作情報を操作情報実行部２４０４に出力するものとしてもよい。
【０２６１】
なお、識別子判定部２４０３は、過去に登録された識別子を予め記憶している時に、赤外線で新たに識別子が受信されれば（Ｓ５０１）、記憶された識別子を、受信された識別子によって上書きしてもよい。すなわち、識別子判定部２４０３は、記憶された識別子の記憶を終了し、新たに、受信された識別子の記憶を開始してもよい。
【０２６２】
なお、第一受信部２４０１は、赤外線で識別子を受信した場合に（Ｓ５０１）、データを暗号するための暗号鍵を赤外線で第一受信部２４０１に対して送信することを指示する指示をリモコン装置２２００に対して送信してもよい。そして、第一送信部２２０３は、送信されたこの指示を受信した場合に、予め定められた暗号鍵を赤外線で第一受信部２４０１に送信する。そして、第一受信部２４０１は、こうして第一送信部２２０３が送信する暗号鍵を受信する。そして、操作情報実行部２４０４は、こうして受信された暗号鍵を記憶する。そして、操作情報実行部２４０４は、この暗号鍵の記憶に際して識別子判定部２４０３に登録された識別子による判定に基いて、識別子判定部２４０３が操作情報実行部２４０４に対して操作情報を出力した場合、記憶されるこの暗号鍵によって、出力される操作情報の全部または一部を復号する。そして、操作情報実行部２４０４は、この復号によって復号された操作情報によって示される操作の処理を行う。
【０２６３】
また、第一受信部２４０１は、識別子判定部２４０３によって一致の判定がされた場合に（Ｓ５０５：Ｙｅｓ）、受信装置２４００のアドレスを赤外線で送信してもよい。そして、リモコン装置２２００の第一送信部２２０３は、送信されるアドレスを受信する。そして、リモコン装置２２００は、こうして受信されたアドレスを記憶する。そして、リモコン装置２２００は、こうしてアドレスが記憶されれば、記憶されたアドレスにより示される装置に対してのみ、リモコン装置２２００へのユーザの操作に応じた処理を行わせる。すなわち、具体的には、例えば、リモコン装置２２００の第二送信部２２０４が、第二送信部２２０４が送信する電波が受信される装置のアドレスを検出して、検出されるアドレスが、記憶されるアドレスに一致するか否かを判定し、一致すると判定される場合にのみ、その装置に対して操作情報を受信させる。
【０２６４】
こうしたワイヤレスリモコンシステム２により、一方の機器（受信装置２４００）と他方の機器（リモコン装置２２００）とを接続する、前記無線通信路（電波による通信路）とは別の他の通信路（赤外線による通信路）を介して認識情報（識別子）が一方の機器（受信装置２４００）に取得される。そして、受信装置２４００に接続される接続機器が、取得された認識情報（識別子）により識別される機器である場合、すなわち、取得された認識情報（識別子）に一致する認識情報（識別子）を一方の機器（受信装置２４００）に受信させる場合、当該接続機器が前記他方の機器（リモコン装置２２００）であると、一方の機器（受信装置２４００）に特定される。そして、この特定がされたことを示す設定データが、当該一方の機器（受信装置２４００）によって、当該一方の機器（受信装置２４００）に設定され、前記他方の機器（リモコン装置２２００）との通信が通信可能とされる。このため、接続機器が前記他方の機器（リモコン装置２２００）と設定され通信可能にされる際の識別情報が、他の通信路（赤外線の通信路）を介して取得されることにより、例えば煩雑なスイッチ操作等を要さず、簡単に、適切な識別情報が用いられるようにできる。これにより、ひいては、簡単に、不適切な機器までが無線制御装置（リモコン装置２２００）に制御されてしまうのを防ぎ、換言すれば、簡単に、確実に被制御機器（受信装置２４００）のみが制御されるようにできる。
【０２６５】
（実施の形態Ｂ２）
次に、本発明の実施の形態Ｂ２におけるワイヤレスリモコンシステムについて、図面を参照しながら説明する。
【０２６６】
図２５は、本発明の実施の形態Ｂ２における受信装置２４００において、第一の通信媒体２１０３を介して得られる識別子と、第二の通信媒体２１０４を介して得られる識別子とをそれぞれ受信装置２４００が蓄積し、蓄積された識別子が一致しているか否かの判定を受信装置２４００が行う場合のブロック図である。
【０２６７】
ここで、図２５に示す受信装置２４００において、実施の形態Ｂ１と相違する点は、識別子判定部２４０３の部分を、実施の形態Ｂ２では、蓄積バッファ部２６０３及び判定部２６０２を備える識別子判定部２６０１とした点である。
【０２６８】
なお、実施の形態Ｂ２では、実施の形態Ｂ１の符号と同じ符号が、適宜、流用される。
【０２６９】
蓄積バッファ部２６０３は、第一受信部２４０１において第一の通信媒体２１０３から識別子を受信したと、第一受信部２４０１から蓄積バッファ部２６０３に通知されると、第一の通信媒体２１０３から識別子を蓄積バッファ部２６０３に取得し、取得された識別子を蓄積する。さらに、蓄積バッファ部２６０３は、第二受信部２４０２において第二の通信媒体２１０４から識別子を受信したと、第二受信部２４０２から蓄積バッファ部２６０３に通知されると、第二の通信媒体２１０４から、識別子及び、操作情報を取得し、取得された識別子及び操作情報を蓄積する。そして、第一の通信媒体２１０３を介して取得される識別子及び、第二の通信媒体２１０４を介して取得される２つの識別子が共に蓄積されると、蓄積バッファ部２６０３は、判定部２６０２へ通知を行う。なお、蓄積バッファ部２６０３に識別子が既に保存されている場合は、保存されている識別子を、取得された識別子によって上書きをする構成にしても構わない。また、識別子を蓄積する際に、蓄積バッファ部２６０３の蓄積期間を、受信装置２４００の予め定められた設定部にユーザが設定し、ユーザの設定した蓄積期間を過ぎた場合又は、受信装置２４００が電源オフ等の待機状態になった場合に、蓄積された識別子を無効化又は、削除しても構わない。なお、蓄積バッファ部２６０３は、より具体的には、例えば、蓄積を始めてから、上記蓄積期間が過ぎた場合に、上記の無効化等を行ってもよい。
【０２７０】
判定部２６０２は、蓄積バッファ部２６０３からの通知を受け取ると、二つの識別子を読み出し、読み出した二つの識別子が一致しているか否かを判定する。判定部２６０２は、一致していると識別（判定）された場合のみ、操作情報を操作情報実行部２４０４へ出力する。なお、識別子判定部２６０１では、どのような一致の判定を行うアルゴリズムを利用しても構わない。
【０２７１】
ここで、本発明の実施の形態Ｂ２における受信装置２４００の動作を説明する。なお、第一の通信媒体２１０３は超音波を利用し、第二の通信媒体２１０４は電波を利用し、リモコン装置２２００から受信装置２４００まで信号を送信する場合に、通信媒体の伝播速度に差がある場合を説明する。
【０２７２】
図２６は、実施の形態Ｂ２における受信装置２４００の動作を表すフローチャートである。
【０２７３】
まず、受信装置２４００は、第二受信部２４０２において、リモコン装置２２００から送信される伝播速度が速い電波を受信し、受信されたことを、蓄積バッファ部２６０３へ通知する（Ｓ７０１）。
【０２７４】
蓄積バッファ部２６０３は、電波の受信が第二受信部２４０２により通知されると、識別子を取得（抽出）し、取得された識別子の蓄積を行う（Ｓ７０２）。具体的には、例えば、蓄積バッファ部２６０３は、電波により第二受信部２４０２に受信されたデータから、受信されたデータに含まれる識別子を抽出する。
【０２７５】
次に、受信装置２４００は、第一受信部２４０１において、リモコン装置２２００から受信装置２４００に送信される、伝播速度が遅い超音波を受信し、受信がされたことを、蓄積バッファ部２６０３へ通知する（Ｓ７０３）。
【０２７６】
蓄積バッファ部２６０３は、超音波の受信が第一受信部２４０１により通知されると、第一の通信媒体２１０３からの識別子を取得し、取得された識別子の蓄積を行う（Ｓ７０４）。
【０２７７】
蓄積バッファ部２６０３は、二つ識別子が蓄積されたのを検知し、この検知をした場合、判定部２６０２へ、蓄積された二つの識別子を出力する（Ｓ７０５：Ｙｅｓ）。識別子が二つ蓄積されていない場合は、そのまま図２６の動作を受信装置２４００は終了する（Ｓ７０５：Ｎｏ）。
【０２７８】
判定部２６０２は、蓄積バッファ部２６０３から二つの識別子が蓄積されたことが通知されると、それら二つの識別子が一致しているか否かを判定する。一致していると識別された場合、判定部２６０２は、電波から取得した操作情報を、操作情報実行部２４０４へ出力する（Ｓ７０６：Ｙｅｓ）。なお、識別子が一致しない場合は、そのまま動作を終了する（Ｓ７０６：Ｎｏ）。
【０２７９】
そして、判定部２６０２から出力された操作情報を、操作情報実行部２４０４は取得し、操作情報実行部２４０４において、取得された操作情報の操作の処理を実行し、受信装置４００は動作を終了する（Ｓ７０７）。
【０２８０】
なお、本実施の形態Ｂ２において、第一の通信媒体２１０３に超音波を利用し、第二の通信媒体２１０４に電波を利用したが、二つの通信媒体の伝播速度が異なる場合であればよく、超音波又は、電波に限定されるものではない。
【０２８１】
本発明の実施の形態Ｂ２によれば、例えば第一の通信媒体２１０３の伝播速度と、第二の通信媒体２１０４の伝播速度とが異なる場合であっても、対象とするリモコン装置のみを自動的に識別することができるため、リモコン装置を特定させる設置設定又は、切り替え操作といった事前設定を行う必要がない。
【０２８２】
このようにして、無線制御システム（遠隔制御システム１、ワイヤレスリモコンシステム２）が構成される。
【０２８３】
（１）（実施の形態Ａ）、（実施の形態Ｂ１）、（実施の形態Ｂ２）の無線制御システムは、それぞれ、被制御機器（ＴＶ１２、ＤＶＲ１３、又は受信装置２４００）と、無線通信路を介して当該被制御機器を制御する無線制御装置（リモコン１１、リモコン装置２２００）と、を備えた無線制御システム（遠隔制御システム１、ワイヤレスリモコンシステム２）であって、前記被制御機器および前記無線制御装置のうちの一方の機器（リモコン１１、受信装置２４００）は、他方の機器（ＤＶＲ１３、リモコン装置２２００）を当該一方の機器が一意に認識するための認識情報（ペアリング情報（カテゴリ、アドレス、暗号鍵）、識別子）を、当該一方の機器と前記他方の機器とを接続する、前記無線通信路とは別の他の通信路（ＴＶ１２を介したＤＶＲ１３とリモコン１１との間の通信路、第一の通信媒体２１０３の通信路）を介して取得する取得部（無線受信部１１４、第一受信部２４０１）と、前記無線通信路を介して認識している接続機器が、取得された前記認識情報により識別される機器である場合、当該接続機器を前記他方の機器と設定し通信可能とする設定部（制御回路１１５、識別子判定部２４０３）とを備える無線制御システムが構成される。
【０２８４】
この無線制御システムによれば、一方の機器と他方の機器とを接続する、前記無線通信路とは別の他の通信路を介して認識情報が一方の機器に取得される。そして、接続機器が、取得された認識情報により識別される機器である場合、当該接続機器が前記他方の機器と設定され通信可能とされる。このため、接続機器が前記他方の機器と設定され通信可能とされる際の認識情報が他の通信路を介して取得されることにより、簡単に、適切な認識情報が用いられるようにできる。これにより、ひいては、簡単に、不適切な機器までが無線制御装置に制御されてしまうのを防ぎ、換言すれば、簡単に、確実に被制御機器のみが制御されるようにできる。
【０２８５】
なお、上記一方の機器は、当該一方の機器に対象機器が接続するか否かを判定して、つまり、対象機器が接続機器が否かを判定して、対象機器が接続機器であることを認識してもよい。そして、上記一方の機器は、当該一方の機器が接続機器であることを認識する第１認識と、第１認識される対象機器（接続機器）が、上記他方の機器であることを認識する第２認識とを行うものとしてもよい。そして、上記一方の機器は、この第２認識において、詳細には、第１認識される対象機器（接続機器）が上記他方の機器であることを特定し、特定された場合には、特定されたことを示す設定情報を、この設定部を有する上記一方の機器の当該設定部等の機能部に設定して、当該一方の機器と上記接続機器を通信可能にするものとしてもよい。そして、上記一方の機器は、対象機器に対して、第１認識と第２認識とのうちで第１認識のみがされ、第２認識がされない間は、対象機器とデータ通信はできず、第２認識までがされた後に、はじめて、データ通信ができるものとしてもよい。そして、一方の機器と他方の機器は、この第２認識までがされた後に、はじめて、コマンドの通信ができるものとしてもよい。
【０２８６】
しかも、この無線制御システムによれば、例えば、具体的には、前記他方の機器は、第２の被制御機器（ＤＶＲ１３）であり、前記他の通信路は、第二の被制御機器によって、第二の被制御機器の第２の認識情報が第１の被制御機器に出力されると共に、出力された第２の認識情報が第１の被制御機器により無線制御装置へ出力される通信路である構成が採られる。また、例えば、具体的には、前記他の通信路は、見通し範囲内にのみ伝送可能な第一の通信媒体による通信路である構成が採られる。よって、これらの構成などが採られることなどによって、簡単に上記他の通信路を構成できる。よって、上記他の通信路を用いるのではない方法と比べて、比較的容易に、例えばスイッチを押圧操作等の必要なく、適切な認識情報が利用されるようにできる。
【０２８７】
なお、スイッチの押圧操作等は、無線制御システムの製造者ではなく、無線制御システムを使う顧客により行われることが多い。このため、この操作等が不要になることは、製造者にとって特に強く望まれることである。
【０２８８】
なお、この無線制御システムであれば、無線制御装置が被制御装置を制御する上記無線通信路ではない他の通信路が、認識情報の取得に用いられる。このため、認識情報の取得のこととは無関係に、無線通信路を自由に選択できる。このため、具体的には、例えば、指向性がより少ない無線通信路（例えば無指向性の無線通信路）を選ぶことができる。例えば、電波による無線通信路を選ぶことができる。電波による無線通信路は、指向性が少ない。これにより、無線制御装置を一定の方向に向けなくても、無線通信路による制御ができるメリットを得つつ、伝送範囲が広い電波の無線通信路での認識情報の取得が行われることはないようにできる。
【０２８９】
なお、無線通信路が電波の無線通信路であれば、無線通信路の通信が壁をすり抜けて、壁の外側でも通信が受信されることが起き易い。例えば、壁の外側の第三者などによって被制御機器が不正に制御されてしまうことがおき易い。上記の無線制御システムであれば、このような無線通信路とは別の他の通信路により認識情報が取得される。これにより、上記のように不正な制御が行われるのを防ぐことができる。つまり、確実に、無線制御機器のみが被制御機器を制御するようにできる。
【０２９０】
（２）第２の前記被制御機器（ＤＶＲ１３）と共に、第１の被制御機器（ＴＶ１２）を備え、前記第１の被制御装置（ＴＶ１２）は、当該第１の被制御装置とは異なる通信装置（例えば前記無線制御装置）に対し自装置（当該第１の被制御装置）を一意に認識させるための認識情報である第１の認識情報（ペアリング情報：カテゴリ、アドレス、暗号鍵）を有し、前記第２の被制御装置（ＤＶＲ１３）は、当該第２の被制御装置とは異なる通信装置（例えば前記無線制御装置）に対し自装置（当該第２の被制御装置）を一意に認識させるための認識情報である第２の認識情報を有し、前記無線制御装置が、前記第１の認識情報を基に前記第１の被制御装置（ＴＶ１２）と通信可能である場合、前記第１の被制御装置と、前記第２の被制御装置（ＤＶＲ１３）と、を接続した際に、前記第２の被制御装置（ＤＶＲ１３）は、前記第２の認識情報を前記第１の被制御装置（ＴＶ１２）に出力し、前記第１の被制御装置は、前記無線制御装置（リモコン１１）に前記第２の認識情報を出力し、前記無線制御装置は、前記第１の被制御装置（ＴＶ１２）から出力される前記第２の認識情報を基に、前記無線通信路（前記他の通信路）を介して認識している前記第２の被制御装置（ＤＶＲ１３）と通信可能とし前記他の通信路は、前記第１の被制御装置（ＴＶ１２）と前記第２の被制御装置（ＤＶＲ１３）との間の通信路と、前記第１の被制御装置（ＴＶ１２）と当該無線制御装置（リモコン１１）との間の前記無線通信路との２つによって構成される上記（１）記載の無線制御システムが構成される（実施の形態Ａ）。
【０２９１】
（３）前記第１の被制御装置と、前記第２の被制御装置と、を接続した際に、前記第２の被制御装置（ＤＶＲ１３）は前記第２の認識情報を前記第１の被制御装置（ＴＶ１２）に出力し、前記第１の被制御装置は接続機器情報レジスタ１２９により前記第２の認識情報を蓄積し、前記無線制御装置と、前記第１の被制御装置と、が無線通信路を介して前記第１の認識情報の交換を行う際に、前記第１の被制御装置は、前記第１の認識情報と、前記第２の認識情報と、を前記無線制御装置に出力する上記（２）記載の無線制御システムが構成される（（実施の形態Ａ）（実施の形態Ｂ１）、（実施の形態Ｂ２））。
【０２９２】
（４）前記認識情報は、少なくとも前記複数の被制御装置のアドレスと、暗号鍵と、を含む情報である上記（２）または上記（３）記載の無線制御システムが構成される。
【０２９３】
（５）前記第１の被制御装置（ＴＶ１２）は、表示手段（ディスプレイ１３３）を具備し、前記第１の被制御装置（ＴＶ１２）は、当該第１の被制御装置で生成される少なくとも動画および静止画を含む第１の可視情報と、前記第２の被制御装置（ＤＶＲ１３）で生成される少なくとも動画および静止画を含む第２の可視情報と、を選択して表示する特徴を有し、前記無線制御装置は、前記表示手段において前記第１の可視情報が表示されている場合は、前記第１の被制御装置（ＴＶ１２）と通信し、当該第１の被制御装置（ＴＶ１２）とは異なる被制御装置（例えばＤＶＲ１３）とは通信しない上記（２）から上記（４）の何れか１項に記載の無線制御システムが構成される。
【０２９４】
（６）前記第１の被制御装置は、前記第２の被制御装置（ＤＶＲ１３）による前記第２の可視情報を表示している際に前記無線制御装置と通信する場合、前記第２の被制御装置が当該第１の被制御装置へ出力した前記第２の前記第２の認識情報を前記無線制御装置に出力する上記（５）記載の無線制御システムが構成される。
【０２９５】
（７）前記第２の被制御装置（ＤＶＲ１３）は、前記表示手段に表示される可視情報を判定し、前記表示手段に表示される可視情報が、前記第１の被制御装置（ＴＶ１２）による前記第１の可視情報であると判定された場合は、前記無線制御装置から出力される通信情報を拒否する上記（６）記載の無線制御システムが構成される。
【０２９６】
（８）複数の被制御機器と、無線通信路を介して当該被制御機器を制御する無線制御装置と、を備えた無線制御装置のペアリング方法において、前記複数の被制御装置のうち第１の被制御装置は、当該第１の被制御装置とは異なる通信装置（前記無線制御装置など）に対し自装置（当該第１の被制御装置）を一意に認識させるための認識情報である第１の認識情報を有し、前記複数の被制御装置のうち、前記第１の被制御装置とは異なる第２の被制御装置は、当該第２の被制御装置とは異なる通信装置（前記無線制御装置など）に対し自装置（当該第２の被制御装置）を一意に認識させるための認識情報である第２の認識情報を有し、前記無線制御装置が、前記第１の認識情報を基に前記第１の被制御装置と通信可能な状態である場合、前記第１の被制御装置と、前記第２の被制御装置と、を接続した際に、前記第２の被制御装置は、前記第２の認識情報を前記第１の被制御装置に出力し、前記第１の被制御装置は、前記無線制御装置に前記第２の認識情報を出力し、前記無線制御装置は、前記第１の被制御装置から出力される前記第２の認識情報を基に、前記無線通信路（前記他の通信路）を介して認識している前記第２の被制御装置と通信可能とするペアリング方法が構成される。
【０２９７】
（９）前記被制御装置（受信装置２４００）は、前記無線制御装置（リモコン装置２２００）を識別し、前記無線制御装置は、前記無線制御装置に設けられたボタンの操作が行われたことを検知した際に、前記無線制御装置を表す認識情報（識別子）を、見通し範囲内にのみ伝送可能な第一の通信媒体（第一の通信媒体２１０３）を介して送信する第一送信部（第一送信部２２０３）と、前記認識情報と、前記被制御装置を操作する操作情報とを第二の通信媒体（第二の通信媒体２１０４）を介して送信する第二送信部（第二送信部２２０４）とを有し、前記被制御装置は、前記無線制御装置が送信した前記第一の通信媒体及び、前記第二の通信媒体とからそれぞれ認識情報を取得する第一取得部（第一受信部２４０１）及び第二取得部（第二受信部２４０２）と、両認識情報が一致するか否かを判定することで送信元を識別する認識情報判定部（識別子判定部２４０３）とを備え、前記他の通信路は、前記第一の通信媒体（第一の通信媒体２１０３）により通信する通信路である上記（１）記載の無線制御システム（ワイヤレスリモコンシステム２）が構成される（（実施の形態Ｂ１）、（実施の形態Ｂ２））。
【０２９８】
（１０）上記（９）記載の無線制御システムであって、前記第一の通信媒体に赤外線を用い、前記第二の通信媒体に電波を用いることを特徴とする無線制御システムが構成される。
【０２９９】
（１１）キー操作に応じた操作情報を送信する無線制御装置（リモコン装置２２００）と、前記無線制御装置から送信される前記操作情報を受信する被制御装置（受信装置２４００）とを備える無線制御システム（ワイヤレスリモコンシステム２）であって、前記無線制御装置は、一つ以上の操作キーと、前記操作キーの操作が行われたことを検知した際に、前記操作キーに対応した操作情報を生成する操作情報生成部（操作情報生成部２２０１）と、前記操作情報の生成元を表す認識情報を保存する認識情報保存部（識別子保存部２２０２）と、前記認識情報を見通し範囲内にのみ伝送可能な第一の通信媒体を介して送信する第一送信部（第一送信部２２０３）と、前記認識情報と、前記操作情報とを第二の通信媒体を介して送信する第二送信部（第二送信部２２０４）と、を備え、前記被制御装置は、第一の通信媒体を介して無線制御装置を表す認識情報を受信する第一受信部（第一受信部２４０１）と、第二の通信媒体を介して無線制御装置から送信された操作情報と、認識情報とを受信する第二受信部（第二受信部２４０２）と、前記第一の通信媒体及び、前記第二の通信媒体とからそれぞれ認識情報を取得し、両認識情報が一致するか否かを判定することで送信元の識別を行う認識情報判定部（識別子判定部２６０１）と、前記認識情報判定部において一致すると判定された場合、前記第二の通信媒体から受信した操作情報に対応した操作を実行する操作実行部（操作情報実行部２４０４）とを備え、前記一方の機器は、前記被制御機器であり、前記他方の機器は、前記無線制御装置であり、前記他の通信路は、前記第一の通信媒体により通信する通信路である上記（１）記載の無線制御システムが構成される。
【０３００】
（１２）上記（１１）に記載の無線制御システムであって、前記無線制御装置における前記第一の通信媒体に、赤外線を用い、前記第二の通信媒体に電波を用いることを特徴とする無線制御システムが構成される。
【０３０１】
（１３）上記（１１）乃至上記（１２）に記載の無線制御システムであって、前記被制御装置に備えられた前記認識情報判定部は、前記第一の通信媒体を介して得られる認識情報と、前記第二の通信媒体を介して得られる認識情報とを蓄積バッファ部２６０３によって蓄積し、当該蓄積した両認識情報が一致しているか否かを判定部２６０２によって判定することで送信元の識別を行う無線制御システムが構成される。
【０３０２】
（１４）なお、前記第１の被制御装置は、前記無線制御装置を識別し、前記無線制御装置は、前記無線制御装置に設けられたボタンの操作が行われたことを検知した際に、前記無線制御装置を表す認識情報を、見通し範囲内にのみ伝送可能な第一の通信媒体を介して送信する第一送信部と、前記認識情報と、前記被制御装置を操作する操作情報とを第二の通信媒体を介して送信する第二送信部とを有し、前記第１の被制御装置は、前記無線制御装置が送信した前記第一の通信媒体及び、前記第二の通信媒体とからそれぞれ認識情報を取得する第一取得部及び第二取得部と、両認識情報が一致するか否かを判定することで送信元を識別する認識情報判定部とを備え、前記無線制御装置は、前記第１の被制御装置の前記認識情報判定部により当該無線制御装置が識別されると、当該第１の被制御装置を認識し、前記第２の被制御装置は、前記第１の被制御装置の前記認識情報判定部により前記無線制御装置が識別されることによって、前記無線制御装置により前記第１の被制御装置が認識されている場合において、前記第１の被制御装置と前記第２の被制御装置とが接続された際に、前記第２の認識情報を前記第１の被制御装置に出力する上記（２）記載の無線制御システムが構成されてもよい。
【０３０３】
そして、この無線制御システムに対して、上記（実施の形態Ａ）、（実施の形態Ｂ１）、（実施の形態Ｂ２）で示される機能が適宜さらに付加されてもよい。
【産業上の利用可能性】
【０３０４】
本発明はリモコンに利用でき、特に、２台目以降の機器のペアリングが不要、かつ複数機器の制御時に、適切に機器を選択することで、ユーザがより簡単に機器を操作することができるリモコンに利用できる。
【０３０５】
本発明の識別方法は、操作情報を実行する前に、第一の通信媒体に重畳される識別子と、第二の通信媒体に重畳される識別子との比較を行うことで、操作情報の生成元を自動的に識別することが可能となる。これにより、受信手段において、送信手段を特定する識別子を保存させる等の設置設定又は、切り替え操作といった事前設定が不要となり、自動的に対象とする操作情報のみが実行可能となる効果が達成できる。そのため、対象とする受信装置のみを操作したいテレビ、ＤＶＤレコーダ等の遠隔操作を受けることが可能な電子機器等に用いることが出来る。
【０３０６】
また、この無線制御システムによれば、一方の機器と他方の機器とを接続する、前記無線通信路とは別の他の通信路を介して認識情報が一方の機器に取得される。そして、接続機器が、取得された認識情報により識別される機器である場合、当該接続機器が前記他方の機器と設定され通信可能とされる。このため、接続機器が前記他方の機器と設定され通信可能とされる際の認識情報が他の通信路を介して取得されることにより、例えば煩雑なスイッチ操作が不要にできるなど、簡単に、適切な認識情報が用いられるようにできる。これにより、ひいては、簡単に、不適切な機器までが無線制御装置に制御されてしまうのを防ぎ、換言すれば、簡単に、確実に被制御機器のみが制御されるようにできる。
【符号の説明】
【０３０７】
１  遠隔制御システム
２  ワイヤレスリモコンシステム
１１  リモコン
１２  ＴＶ
１３  ＤＶＲ
１１０、１２２、１４２  押しボタン
１１１、１２６、１４７  ペアリング情報レジスタ
１１２、１２５、１４５  無線送信部
１１３、１２４、１４４  アドレスレジスタ
１１４、１２３、１４３  無線受信部
１１５、１２７、１４６  制御回路
１１６  キー群
１１７  送信先レジスタ
１２８、１４８  出力レジスタ
１２９  接続機器情報レジスタ
１３０、１５０  メニュー生成部
１３１、１５１  ＴＵＮＥＲ
１３２  ＨＤＭＩ入力部
１３３  ディスプレイ
１３４  選択回路
１４９  表示レジスタ
１５２  ＨＤＤドライブ
１５３  ＨＤＭＩ出力部
１５４  デコーダ
１５５  スイッチ
１５６  予約一覧
１５７  コンテンツ一覧
２１０３  第一の通信媒体
２１０４  第二の通信媒体
２２００  リモコン装置
２２０１  操作情報生成部
２２０２  識別子保存部
２２０３  第一送信部
２２０４  第二送信部
２４００  実施の形態Ｂ１における受信装置
２４０１  第一受信部
２４０２  第二受信部
２４０３  識別子判定部
２４０４  操作情報実行部
２６０１  実施の形態Ｂ２における識別子判定部
２６０２  判定部
２６０３  蓄積バッファ部
【図１】
0004440338.tif 000012
【図２】
0004440338.tif 000013
【図３】
0004440338.tif 000014
【図４】
0004440338.tif 000015
【図５】
0004440338.tif 000016
【図６】
0004440338.tif 000017
【図７】
0004440338.tif 000018
【図８】
0004440338.tif 000019
【図９】
0004440338.tif 000020
【図１０】
0004440338.tif 000021
【図１１】
0004440338.tif 000022
【図１２】
0004440338.tif 000023
【図１３】
0004440338.tif 000024
【図１４】
0004440338.tif 000025
【図１５】
0004440338.tif 000026
【図１６】
0004440338.tif 000027
【図１７】
0004440338.tif 000028
【図１８】
0004440338.tif 000029
【図１９】
0004440338.tif 000030
【図２０】
0004440338.tif 000031
【図２１】
0004440338.tif 000032
【図２２】
0004440338.tif 000033
【図２３】
0004440338.tif 000034
【図２４】
0004440338.tif 000035
【図２５】
0004440338.tif 000036
【図２６】
0004440338.tif 000037